(57)【要約】【課題】スピーカ装置を備えた遊技機において、当該スピーカ装置から出力される音の高音質化を良好に図ることができる遊技機を提供する。【解決手段】パチンコ機は、遊技機ベースユニット１３を備えているとともに、遊技機ベースユニット１３には遊技機前面ユニット１４が回動可能に支持されている。遊技機前面ユニット１４にはスピーカ装置６３が固定されている。この場合、スピーカ装置６３の前面側から出力された音はパチンコ機前方に向けて伝搬していくとともに、スピーカ装置６３の背面側からの音は、遊技機ベースユニット１３と遊技機前面ユニット１４との間に形成される閉空間１５１に出力される。また、遊技機ベースユニット１３には、当該閉空間１５１を外部に開放させるための開放用孔部１５５が形成されている。当該開放用孔部１５５は、スピーカ装置６３の後方の領域から外れた位置に形成されている。【選択図】      図５
2010035810.tif 000002
【特許請求の範囲】
【請求項１】
遊技機ベースと、
当該遊技機ベースの前方に設けられているとともに、当該遊技機ベースの前面における少なくとも一部の領域を前方から覆う閉鎖位置と当該領域を遊技機前方に開放させる開放位置とのそれぞれに配置できるように設けられた遊技機前面体と、
当該遊技機前面体に設けられたスピーカ装置と、
を備え、
前記遊技機前面体が前記閉鎖位置に配置されている状態では、当該遊技機前面体を構成する部位と前記遊技機ベースを構成する部位とにより特定空間が区画形成される構成であり、
前記スピーカ装置は、前面側から出力された音が前記遊技機前面体の前面から遊技機前方に向けて伝わり、且つ背面側からは前記特定空間に対して音が出力されるように、前記遊技機前面体において前記特定空間の遊技機前側の範囲を区画する前壁部に取り付けられており、
さらに、前記遊技機ベースにおいて、前記遊技機前面体が前記閉鎖位置に配置されている場合に前記前壁部に対して所定の間隔を隔てて対向され前記特定空間の遊技機後側の範囲を区画する後壁部に、前記特定空間をその外部に開放させる開放用孔部を備えており、
当該開放用孔部は、当該開放用孔部の孔長方向に延びる中心軸線が前記スピーカ装置の厚み方向に延びる中心軸線と同一直線上とならない位置に形成されていることを特徴とする遊技機。
【請求項２】
前記開放用孔部は、前記後壁部において、前記遊技機前面体が前記閉鎖位置に配置されている場合に前記スピーカ装置の遊技機後方の領域から外れた位置に形成されていることを特徴とする請求項１に記載の遊技機。
【請求項３】
前記スピーカ装置は、前記前壁部に形成された前後方向に貫通する貫通孔に対して取り付けられており、
当該貫通孔に対して前記スピーカ装置が取り付けられていることにより、当該スピーカ装置の前面側は前記前壁部の前面側に露出するとともに、当該スピーカ装置の背面側が前記特定空間側に露出し、
前記開放用孔部は、前記後壁部において、前記遊技機前面体が前記閉鎖位置に配置されている場合に前記貫通孔の遊技機後方の領域から外れた位置に形成されていることを特徴とする請求項１に記載の遊技機。
【請求項４】
前記開放用孔部は、孔長方向に対して直交する方向の断面の面積が前記スピーカ装置の前面側の面積よりも小さくなるように形成されていることを特徴とする請求項１乃至３のいずれか１に記載の遊技機。
【請求項５】
前記スピーカ装置は、前記前壁部に形成された前後方向に貫通する貫通孔に対して取り付けられており、
当該貫通孔に対して前記スピーカ装置が取り付けられていることにより、当該スピーカ装置の前面側は前記前壁部の前面側に露出するとともに、当該スピーカ装置の背面側が前記特定空間側に露出し、
さらに、前記開放用孔部は、その孔長方向に対して直交する方向の断面の面積が、前記貫通孔の孔長方向に対して直交する方向の断面の面積よりも小さくなるように形成されていることを特徴とする請求項１乃至３のいずれか１に記載の遊技機。
【請求項６】
前記遊技機前面体が前記閉鎖位置に配置されている場合に前記前壁部と前記後壁部との間に位置することで前記特定空間の周面を区画する領域に対して、前記特定空間の内側に離間されることとなる位置に前記開放用孔部が形成されていることを特徴とする請求項１乃至５のいずれか１に記載の遊技機。
【請求項７】
前記スピーカ装置は、前記遊技機ベースの背面側又は当該遊技機ベースの後方に設けられた装置と配線を介して電気的に接続されており、当該配線を通じて当該装置から供給される電力又は信号に基づいて動作するものであり、
前記配線は、前記開放用孔部を通じて、前記遊技機ベースの前後に通されていることを特徴とする請求項１乃至６のいずれか１に記載の遊技機。
【発明の詳細な説明】
【技術分野】
【０００１】
本発明は、遊技機に関するものである。
【背景技術】
【０００２】
遊技機の一種であるパチンコ機はスピーカ装置を備えており、遊技状態に応じて多様な音をスピーカ装置から出力することにより遊技への注目度が高められている。また、スピーカ装置から出力される音の高音質化を図ることで、遊技への注目度をより高められると考えられる。
【０００３】
高音質化を図るためには、少なくともスピーカ装置の前面側から出力された音がスピーカ装置の背面側から出力された音と打ち消し合わないようにする必要がある。かかる音の打ち消し合いを抑制することで高音質化を図ったパチンコ機として例えば特許文献１には、遊技盤を有する遊技機ベースの前面であって遊技盤の下方にスピーカ取付基盤を取り付けるとともに、当該取付基盤の前面側に対して、スピーカ装置の前面側がパチンコ機前方を向くようにしてスピーカ装置を取り付けた構成が開示されている。この場合、スピーカ取付基盤と遊技機ベースとにより形成されたエンクロージャに対して、スピーカ装置の背面側からの音が出力される。これにより、スピーカ装置の背面側から出力された音が、スピーカ装置の前面側から出力された音に対して逆位相の状態のまま上記取付基盤の前方側に伝搬していくことが抑制され、上記音の打ち消し合いが抑制されることに伴って、高音質化が図られる。
【特許文献１】特開２０００−３０８７４４号公報
【発明の開示】
【発明が解決しようとする課題】
【０００４】
しかしながら、エンクロージャを形成するためのスピーカ取付基盤を遊技機ベースに取り付ける構成の場合、当該遊技機ベースの前面領域の一部が取付基盤により専有されることとなる。そうすると、遊技機ベースの前面側において他の部材を配置するためのスペースがそれだけ制限されることとなる。その一方、他の部材を配置するためのスペースを確保するべく、上記エンクロージャを小さなものに抑えようとすると、せっかくエンクロージャを設けたにも関わらずその機能が十分に発揮されず、高音質化が図れなくなってしまう。
【０００５】
なお、上記問題はパチンコ機に限らず、スピーカ装置を備えた他の遊技機においても該当する問題である。
【０００６】
本発明は、上記例示した事情等に鑑みてなされたものであり、スピーカ装置を備えた遊技機において、当該スピーカ装置から出力される音の高音質化を良好に図ることができる遊技機を提供することを目的とするものである。
【課題を解決するための手段】
【０００７】
以下、上記課題を解決するための手段について記載する。
【０００８】
請求項１に記載の発明は、遊技機ベースと、当該遊技機ベースの前方に設けられているとともに、当該遊技機ベースの前面における少なくとも一部の領域を前方から覆う閉鎖位置と当該領域を遊技機前方に開放させる開放位置とのそれぞれに配置できるように設けられた遊技機前面体と、当該遊技機前面体に設けられたスピーカ装置と、を備え、前記遊技機前面体が前記閉鎖位置に配置されている状態では、当該遊技機前面体を構成する部位と前記遊技機ベースを構成する部位とにより特定空間が区画形成される構成であり、前記スピーカ装置は、前面側から出力された音が前記遊技機前面体の前面から遊技機前方に向けて伝わり、且つ背面側からは前記特定空間に対して音が出力されるように、前記遊技機前面体において前記特定空間の遊技機前側の範囲を区画する前壁部に取り付けられており、さらに、前記遊技機ベースにおいて、前記遊技機前面体が前記閉鎖位置に配置されている場合に前記前壁部に対して所定の間隔を隔てて対向され前記特定空間の遊技機後側の範囲を区画する後壁部に、前記特定空間をその外部に開放させる開放用孔部を備えており、当該開放用孔部は、当該開放用孔部の孔長方向に延びる中心軸線が前記スピーカ装置の厚み方向に延びる中心軸線と同一直線上とならない位置に形成されていることを特徴とする。
【発明の効果】
【０００９】
スピーカ装置を備えた遊技機において、当該スピーカ装置から出力される音の高音質化を良好に図ることができる。
【発明を実施するための最良の形態】
【００１０】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１１】
パチンコ機１０は、図１に示すように、当該パチンコ機１０の外殻を形成する外枠１１と、この外枠１１に対して前方に回動可能に取り付けられた遊技機本体１２とを有する。外枠１１は木製の板材などを四辺に連結し構成されるものであって矩形枠状をなしている。パチンコ機１０は、外枠１１を島設備に取り付け固定することにより、遊技ホールに設置される。
【００１２】
遊技機本体１２は、遊技機ベースユニット１３と、その遊技機ベースユニット１３の前方に配置される遊技機前面ユニット１４と、遊技機ベースユニット１３の後方に配置される裏パックユニット１５とを備えている。遊技機本体１２のうち遊技機ベースユニット１３が外枠１１に対して回動可能に支持されている。詳細には、正面視で左側を回動基端側（開閉基端側）とし右側を回動先端側（開閉先端側）として遊技機ベースユニット１３が前方へ回動可能（開閉可能）とされている。
【００１３】
遊技機ベースユニット１３には、図２に示すように、遊技機前面ユニット１４が回動可能に支持されており、正面視で左側を回動基端側（開閉基端側）とし右側を回動先端側（開閉先端側）として前方へ回動可能（開閉可能）とされている。また、遊技機ベースユニット１３には、図３に示すように、裏パックユニット１５が回動可能に支持されており、正面視で左側を回動基端側（開閉基端側）とし右側を回動先端側（開閉先端側）として後方へ回動可能（開閉可能）とされている。
【００１４】
なお、遊技機本体１２には、図３に示すように、その回動先端側に施錠装置１６が設けられており、遊技機本体１２を外枠１１に対して開放不能に施錠状態とする機能を有しているとともに、遊技機前面ユニット１４を遊技機ベースユニット１３に対して開放不能に施錠状態とする機能を有している。これらの各施錠状態は、パチンコ機１０前面にて露出させて設けられたシリンダ錠１７に対して解錠キーを用いて解錠操作を行うことにより、それぞれ解除される。
【００１５】
＜パチンコ機１０の前面側の構成について＞
次に、パチンコ機１０の前面側の構成について説明する。
【００１６】
遊技機ベースユニット１３は、外形が外枠１１とほぼ同一形状をなす樹脂ベース２１を主体に構成されている。樹脂ベース２１の中央部には略楕円形状の窓孔２２が形成されている。樹脂ベース２１には遊技盤２３が着脱可能に取り付けられている。遊技盤２３は合板よりなり、遊技盤２３の前面に形成された遊技領域が樹脂ベース２１の窓孔２２を通じて遊技機ベースユニット１３の前面側に露出した状態となっている。
【００１７】
ここで、遊技盤２３の構成を図４に基づいて説明する。遊技盤２３には、ルータ加工が施されることによって前後方向に貫通する大小複数の開口部が形成されている。各開口部には一般入賞口２４，可変入賞装置２５，上作動口２６，下作動口２７，スルーゲート２８及び可変表示ユニット２９等がそれぞれ設けられている。
【００１８】
一般入賞口２４、可変入賞装置２５及び作動口２６，２７に遊技球が入ると、それが遊技盤２３の背面側において各入賞部に１対１で対応させて配設された検知センサ（図示略）により検知され、その検知結果に基づいて所定数の賞球の払い出しが実行される。その他に、遊技盤２３の最下部にはアウト口３０が設けられており、各種入賞部等に入らなかった遊技球はアウト口３０を通って遊技領域から排出される。また、遊技盤２３には、遊技球の流下方向を適宜分散、調整等するための多数の釘３１が植設されているとともに、風車等の各種部材が配設されている。
【００１９】
可変表示ユニット２９には、作動口２６，２７への入賞をトリガとして図柄を可変表示する図柄表示装置３２が設けられている。また、可変表示ユニット２９には、図柄表示装置３２を囲むようにしてセンターフレーム３３が配設されている。センターフレーム３３の上部には、第１特定ランプ部３４及び第２特定ランプ部３５が設けられている。また、センターフレーム３３の上部及び下部にはそれぞれ保留ランプ部３６，３７が設けられている。下側の保留ランプ部３６は、図柄表示装置３２及び第１特定ランプ部３４に対応しており、遊技球が作動口２６，２７を通過した回数は最大４回まで保留され保留ランプ部３６の点灯によってその保留個数が表示されるようになっている。上側の保留ランプ部３７は、第２特定ランプ部３５に対応しており、遊技球がスルーゲート２８を通過した回数は最大４回まで保留され保留ランプ部３７の点灯によってその保留個数が表示されるようになっている。
【００２０】
図柄表示装置３２の表示画面には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、特別遊技状態（以下、大当たり状態という）が発生することとなる。
【００２１】
第１特定ランプ部３４では、作動口２６，２７への入賞をトリガとして所定の順序で発光色の切り替えが行われ、予め定められた色で停止表示された場合には大当たりが発生する。また、第２特定ランプ部３５では、遊技球のスルーゲート２８への入賞をトリガとして所定の順序で発光色の切り替えが行われ、予め定められた色で停止表示された場合には下作動口２７に付随する電動役物が所定時間だけ開放状態となる。
【００２２】
可変入賞装置（可変入球装置）２５は、通常は遊技球が入賞できない又は入賞し難い閉状態になっており、大当たりの際に遊技球が入賞しやすい所定の開放状態に切り換えられるようになっている。可変入賞装置２５の開放態様としては、所定時間（例えば３０秒間）の経過又は所定個数（例えば１０個）の入賞を１ラウンドとして、複数ラウンド（例えば１５ラウンド）を上限として可変入賞装置２５が繰り返し開放されるものが一般的である。
【００２３】
遊技盤２３には、内レール部４１と外レール部４２とが取り付けられており、これら内レール部４１と外レール部４２とにより誘導レールが構成され、遊技球発射機構４３から発射された遊技球が遊技領域の上部に案内されるようになっている。遊技球発射機構４３は、図２に示すように、樹脂ベース２１における窓孔２２の下方に取り付けられており、遊技機前面ユニット１４に設けられた発射ハンドル４４が操作されることにより遊技球の発射動作が行われる。
【００２４】
遊技機前面ユニット１４の構成について以下に説明する。かかる遊技機前面ユニット１４の説明に際しては図１及び図２を参照するとともに、図５を適宜参照する。図５は、図１のＡ―Ａ線部分の断面図である。なお、図５において、遊技機ベースユニット１３及び遊技盤２３の背面側の構成は、説明の便宜上、省略する。
【００２５】
遊技機前面ユニット１４は、図５に示すように、その基礎となるベース部材として、ベース枠５１を備えており、当該ベース枠５１に対して各種部材が取り付けられて構成されている。ベース枠５１は、ＡＢＳ樹脂などの合成樹脂製であり、図２に示すように、外形が遊技機ベースユニット１３の外形とほぼ同一形状をなしている。なお、遊技機前面ユニット１４において当該ベース枠５１が遊技機ベースユニット１３に回動可能に支持されている。
【００２６】
ベース枠５１には前後に貫通させて窓部５２が形成されており、当該窓部５２に対して窓パネルユニット５３が設けられている。窓パネルユニット５３は、ＡＢＳ樹脂等により一体形成されたパネル枠体５４を有しているとともに、透明ガラスにより形成された一対の透明板５５，５６を有している。なお、透明板５５，５６は透明ガラスに限定されることはなく、合成樹脂により形成されていてもよい。
【００２７】
これら一対の透明板５５，５６には、その外周部分がパネル枠体５４の内周部分に沿うようにして形成されており、各透明板５５，５６の外周部分はその全周に亘ってパネル枠体５４の内周部分に密着させた状態で固定されている。この場合、これら各透明板５５，５６は所定間隔を隔てた状態で平行に配置されている。このように一対の透明板５５，５６が所定間隔を隔てた状態で対向配置されていることにより、窓パネルユニット５３は所定の厚み寸法を有するが、当該厚み寸法はパネル枠体５４の厚み寸法と一致している。
【００２８】
ちなみに、窓パネルユニット５３として、一対の透明板５５，５６を設けるとともに、それら透明板５５，５６を離間させて対向配置させていることにより、パチンコ機１０前方からの遊技領域に対する磁石による不正などを行いづらくすることが可能となる。
【００２９】
図２に示すように、パネル枠体５４の外周部分には、外側に突出するフランジ部５７が周方向に所定間隔を隔てて複数形成されている。窓パネルユニット５３は、窓部５２を塞ぐようにしてベース枠５１の背面側に配置されているとともに、上記各フランジ部５７がベース枠５１の背面側から固定されている。かかる固定は、所定の工具を用いた固定作業及び解除作業を通じて、窓パネルユニット５３をベース枠５１に対して固定状態としたり離脱状態としたりすることが可能なように、汎用のネジを用いて行われている。但し、これに限定されることはなく、窓パネルユニット５３をベース枠５１に対して着脱自在な状態で軸支させるとともに、ベース枠５１に対して閉鎖した状態で係合片を通じて窓パネルユニット５３の開閉先端側をベース枠５１に保持させる構成としてもよい。
【００３０】
窓パネルユニット５３は、遊技機前面ユニット１４を閉鎖状態とした場合に遊技領域のほぼ全域とパチンコ機１０の前後方向に対向することとなる。この場合に、各透明板５５，５６は、パチンコ機１０前方からこれら各透明板５５，５６を通じて遊技領域を視認可能なように無色透明に形成されている。但し、無色透明に限定されることはなく、パチンコ機１０前方から各透明板５５，５６を通じて遊技領域を視認可能であれば、有色透明であってもよい。
【００３１】
ベース枠５１の前面において窓部５２の左右両側には、図１に示すように、それぞれＬＥＤ基板６１，６２が取り付けられている。また、ベース枠５１の前面において窓部５２の上方には、図２に示すように、左右一対のスピーカ装置６３，６４が取り付けられている。当該スピーカ装置６３，６４の具体的な構成については、後に詳細に説明する。
【００３２】
ＬＥＤ基板６１，６２及びスピーカ装置６３，６４は、前面カバー６５によりパチンコ機１０前方から覆われている。当該前面カバー６５は、ＡＢＳ樹脂などの合成樹脂製であり、前後に起伏したデザイン等が施されている。前面カバー６５は、ベース枠５１の前面における窓部５２の上方及び左右両側を覆うようにして配置され、ベース枠５１の背面側からネジ固定されている。この場合、当該固定は、所定の工具を用いることで着脱自在となるように行われている。
【００３３】
前面カバー６５において各ＬＥＤ基板６１，６２の前方箇所は光透過性を有しており、ＬＥＤ基板６１，６２に搭載されたＬＥＤから照射された光は前面カバー６５を通じてパチンコ機１０前方から視認可能となっている。これらＬＥＤ基板６１，６２と前面カバー６５とにより発光部が構成されている。また、スピーカ装置６３，６４の前方箇所にはスピーカ装置６３，６４用の複数のスリット１０９が形成されており、スピーカ装置６３，６４から出力された音がパチンコ機１０前方へ伝搬可能となっている。
【００３４】
ベース枠５１において窓部５２の下方には、上皿ユニット７１及び下皿ユニット７２が上下に並設されている。これら上皿ユニット７１及び下皿ユニット７２はベース枠５１の前面下部を覆うようにしてパチンコ機１０前方から取り付けられており、ベース枠５１の背面側からネジ固定されている。この場合、当該固定は、所定の工具を用いることなく着脱自在となるように行われている。
【００３５】
上皿ユニット７１には、上方に開放された上皿７３が形成されている。上皿７３は、その奥壁に球入口及び球出口を有し、後述する払出装置より払い出され当該球入口を介して導入された遊技球を一旦貯留するとともに、それら遊技球を一列に整列させながら球出口へ導く機能を有する。球出口から上皿７３外に導出された遊技球は遊技球発射機構４３へ導かれる。
【００３６】
下皿ユニット７２には、上方に開放された下皿７４が形成されている。下皿７４は、その奥壁に球入口７４ａを有し、上皿７３が満杯となっている状態で払出装置から払い出された遊技球は、余剰球として球入口７４ａを介して下皿７４に導入される。
【００３７】
ここで、本パチンコ機１０では、上記のとおり、前面カバー６５、窓パネルユニット５３、上皿ユニット７１及び下皿ユニット７２をベース枠５１に対して取り付け、遊技機前面ユニット１４としてユニット化されている。従来のパチンコ機においては、少なくとも窓部と下皿とがそれぞれ別ユニットとして設けられており、窓部が下皿に対して独立して回動可能となっていたため、パチンコ機の前面部には上記各ユニット間に境界が生じていた。この場合、当該境界から不正用治具などを挿入して行う不正行為が想定される。また、かかる不正行為を抑制すべく各ユニット間の境界に対して不正抑制構造を設けることができるが、そうすると構成の複雑化を招いてしまう。さらに、パチンコ機の前面部において境界が生じるのはデザイン上好ましくない。これに対して、上記のとおり遊技機前面ユニット１４に前面カバー６５、窓パネルユニット５３、上皿ユニット７１及び下皿ユニット７２が取り付けられているので、窓部５２と下皿７４との間に境界が生じることはなく、上記不都合が抑制される。
【００３８】
上皿７３及び下皿７４には、払出装置より払い出された遊技球が導入されることとなる。かかる導入に際しては、当該遊技球は、上皿７３及び下皿７４のそれぞれに払出装置を連通させるように形成された払出通路を通過することとなる。この場合、図２に示すように、払出通路の下流側を形成する通路形成ユニット７５が遊技機前面ユニット１４に設けられている。
【００３９】
通路形成ユニット７５はベース枠５１の背面に取り付けられている。通路形成ユニット７５の上部には受け口部７６が形成されており、当該受け口部７６において並設された一対の開口部のそれぞれから上皿７３に向けた通路と下皿７４に向けた通路とが形成されている。この場合、受け口部７６は遊技機前面ユニット１４の回動基端側に設けられているのに対して、下皿７４の球入口７４ａはパチンコ機１０の左右方向の中央側に設けられているため、下皿７４に向けた通路は遊技機前面ユニット１４の回動基端側から左右方向の中央側に亘って延びている。
【００４０】
また、通路形成ユニット７５には、下皿７４に向けた通路を形成する部位に沿うようにして、戻り球回収部７７が一体形成されている。戻り球回収部７７は、パチンコ機１０の左右方向の中央側に設けられており、上方に開放されている。この上方に開放された上方開放部７８は、遊技球発射機構４３から発射されたが遊技領域まで至らず誘導レール内を逆流してくる戻り球が落下してくる位置にある。また、戻り球回収部７７はその内部に回収通路が形成されており、当該回収通路は下流にて下皿７４に向けた通路に連通されており、戻り球回収部７７にて回収された戻り球は下皿７４へ排出される。
【００４１】
なお、通路形成ユニット７５は遊技機前面ユニット１４に取り付けられているため、遊技機前面ユニット１４が開放位置に向けて回動された場合には、払出通路において通路形成ユニット７５に形成された通路と、それよりも上流側の通路とが分離されることとなる。この場合に、当該上流側の通路から遊技球が零れ落ちてしまうことを防止するために、遊技機ベースユニット１３の樹脂ベース２１にはシャッタ部材７９が設けられている。
【００４２】
＜パチンコ機１０の背面側の構成について＞
次に、パチンコ機１０の背面側の構成について説明する。
【００４３】
図３に示すように、遊技機ベースユニット１３（具体的には、遊技盤２３）の背面には、主制御装置８１及び音声ランプ制御装置８２が搭載されている。主制御装置８１は、遊技の主たる制御を司る機能（主制御回路）と、電源を監視する機能（停電監視回路）とを有する主制御基板を具備しており、当該主制御基板が透明樹脂材料等よりなる基板ボックス８３に収容されて構成されている。音声ランプ制御装置８２は、主制御装置８１からの指示に従い音声やランプ表示、及び図示しない表示制御装置の制御を司る音声ランプ制御基板を具備しており、音声ランプ制御基板が透明樹脂材料等よりなる基板ボックス８４に収容されて構成されている。
【００４４】
裏パックユニット１５は、図３に示すように、裏パック９１を備えており、当該裏パック９１に対して、払出機構部９２及び制御装置集合ユニット９３が取り付けられている。なお、裏パック９１は透明性を有する合成樹脂により形成されており、主制御装置８１や音声ランプ制御装置８２などを後方から覆うように、後方に突出し略直方体形状をなす保護カバー部９４を有している。
【００４５】
払出機構部９２は、保護カバー部９４を迂回するようにして配設されており、遊技場の島設備から供給される遊技球が逐次補給されるタンク９５と、当該タンク９５に貯留された遊技球を払い出すための払出装置９６と、を備えている。なお、払出機構部９２には、例えば交流２４ボルトの主電源が供給されるとともに、電源のＯＮ操作及びＯＦＦ操作を行うための電源スイッチが設けられた裏パック基板が搭載されている。
【００４６】
制御装置集合ユニット９３は、払出制御装置９７と電源及び発射制御装置９８とを備えている。これら払出制御装置９７と電源及び発射制御装置９８とは、払出制御装置９７がパチンコ機１０後方となるように前後に重ねて配置されている。
【００４７】
払出制御装置９７は、払出装置９６を制御する払出制御基板が基板ボックス内に収容されて構成されている。電源及び発射制御装置９８は、電源及び発射制御基板が基板ボックス内に収容されて構成されており、当該基板により、各種制御装置等で要する所定の電力が生成されて出力され、さらに遊技者による発射ハンドル４４の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００４８】
＜高音質化構造について＞
次に、スピーカ装置６３，６４から出力される音の高音質化を図るための構造について以下に詳細に説明する。以下の説明では、図１，図２，図５を参照するとともに、図６及び図７も適宜参照する。図６は図１のＢ−Ｂ線部分の断面図であり、図７は図１のＣ−Ｃ線部分の断面図である。なお、図６及び図７において、遊技機ベースユニット１３及び遊技盤２３の背面側の構成は、説明の便宜上、省略する。
【００４９】
既に説明したとおり、遊技機前面ユニット１４には一対のスピーカ装置６３，６４が設けられている。これらスピーカ装置６３，６４は、図６に示すように、駆動部１０１，１０２と、駆動部１０１，１０２により駆動されることで振動する振動板１０３，１０４と、を備えており、振動板１０３，１０４が振動することにより音を出力する周知のスピーカ装置である。駆動部１０１，１０２としては、ボイスコイル及び永久磁石を有してなるタイプのものが用いられているが、これに限定されることはなく、他のタイプのものを用いてもよい。また、振動板１０３，１０４としては、コーン型のものが用いられているが、これに限定されることはなく、ドーム型など他のタイプのものを用いてもよい。振動板１０３，１０４が振動した場合には、スピーカ装置６３，６４の前面側及び背面側の両方から音が出力される。なお、背面側から出力される音は、前面側から出力される音に対して逆位相となる。
【００５０】
遊技機前面ユニット１４におけるベース枠５１の壁部には、図６に示すように、各スピーカ装置６３，６４に１対１で対応させて、前後方向に貫通する開口部１０５，１０６が形成されている。また、各スピーカ装置６３，６４にはその前面側に、外側に張り出すようにしてフランジ部１０７，１０８が形成されている。各スピーカ装置６３，６４はそれぞれ対応する開口部１０５，１０６に対して、各スピーカ装置６３，６４の背面側が先頭となるようにして、ベース枠５１の前面側から挿通されており、各フランジ部１０７，１０８は対応する開口部１０５，１０６の周縁部に対してベース枠５１の前面側から当接している。そして、各フランジ部１０７，１０８がベース枠５１の前面側からベース枠５１に固定されていることにより、各スピーカ装置６３，６４がベース枠５１に固定されている。かかる固定は、所定の工具を用いた固定作業及び解除作業を通じて、スピーカ装置６３，６４をベース枠５１に対して固定状態としたり離脱状態としたりすることが可能なように、汎用のネジを用いて行われている。つまり、各スピーカ装置６３，６４は、ベース枠５１に対して着脱自在な状態で固定されている。
【００５１】
上記のように各スピーカ装置６３，６４が固定されていることにより、各スピーカ装置６３，６４の前面はパチンコ機１０の前方を向いている。また、各スピーカ装置６３，６４の前面側はベース枠５１の前面側において露出しており、各スピーカ装置６３，６４の背面側はベース枠５１の背面側において露出している。さらにまた、一対のスピーカ装置６３，６４は、遊技機前面ユニット１４における窓パネルユニット５３の上方において同じ高さ位置に配置されているとともに、左右方向に所定の間隔を隔てて配置されている。
【００５２】
既に説明したとおり、ベース枠５１の前面側には、各スピーカ装置６３，６４を覆うようにして前面カバー６５が取り付けられている。前面カバー６５において各スピーカ装置６３，６４の前面と対向する各領域には、図１及び図５に示すように、前側放出孔として複数のスリット１０９が形成されており、スピーカ装置６３，６４の前面側から出力された音は、これらスリット１０９を通じて前面カバー６５の前方、すなわちパチンコ機１０前方に伝搬していく。
【００５３】
一方、スピーカ装置６３，６４の背面側からは、遊技機前面ユニット１４と遊技機ベースユニット１３との間に形成された空間内に音が出力される。ここで、当該空間について説明する。
【００５４】
図２及び図５〜図７に示すように、遊技機前面ユニット１４のベース枠５１は、パチンコ機１０の前方及び後方のそれぞれに向く壁面を有する前壁部１１１を備えているとともに、ベース枠５１の外周部分を規定するようにして前壁部１１１からベース枠５１の後方に突出させて形成された一連の前側縁枠部１１２を備えている。また、当該前側縁枠部１１２に対応させて、遊技機ベースユニット１３における樹脂ベース２１の外周部分には、樹脂ベース２１においてパチンコ機１０の前方及び後方のそれぞれに向く壁面を有する後壁部１１３から樹脂ベース２１の前方に突出するようにして一連の後側縁枠部１１４が一体形成されている。後側縁枠部１１４には、その突出方向の途中位置において内側から外側に向けた一連の段差部１１５が形成されており、段差部１１５よりも根元側の内周面に比べ、段差部１１５よりも先端側の内周面はパチンコ機１０の外周側に位置している。
【００５５】
遊技機前面ユニット１４の閉鎖状態では、後側縁枠部１１４がパチンコ機１０の外周側となるようにして前側縁枠部１１２の先端側と、後側縁枠部１１４において上記段差部１１５よりも先端側とが内外に重なり、前側縁枠部１１２と後側縁枠部１１４との内外の重なり領域がパチンコ機１０の外周全体に亘って形成されることとなる。この場合に、前側縁枠部１１２の突出側端面１１６に向けた一連の対向面を形成する段差部１１５には、密閉性向上手段として、一連のゴムパッキン１１７が設けられており、遊技機前面ユニット１４の閉鎖状態では、ゴムパッキン１１７が上記突出側端面１１６と段差部１１５とにより挟まれ圧縮状態となる。これにより、遊技機前面ユニット１４と遊技機ベースユニット１３との間の空間の密閉性が高められている。
【００５６】
パチンコ機１０の外周部分に重なり領域が形成されているとともに、ゴムパッキン１１７が設けられていることにより、パチンコ機１０の外周側から遊技機前面ユニット１４と遊技機ベースユニット１３との間の空間内に不正用治具を挿入しようとする行為を行いづらくさせることができる。
【００５７】
また、ベース枠５１には、既に説明したように、その背面側から窓パネルユニット５３が取り付けられている。当該窓パネルユニット５３は、前壁部１１１からベース枠５１の後方に突出している。なお、この突出量は、前側縁枠部１１２の前壁部１１１からの突出量と略同一となっているが、これに限定されず、同一であってもよく、いずれか一方の突出量が明らかに大きい構成としてもよい。
【００５８】
樹脂ベース２１において遊技領域を露出させるために形成された窓孔２２の周縁部１２１には、上記のように前壁部１１１から後方に突出するようにして取り付けられた窓パネルユニット５３を収容するための構成が設けられている。具体的には、図５及び図７に示すように、窓孔２２の周縁部１２１には、窓孔２２の貫通方向の途中位置において窓孔２２の内側から外側に向けた一連の段差部１２２が形成されており、段差部１２２よりも遊技盤２３側の内周面に比べ、段差部１２２よりもベース枠５１側の内周面は窓孔２２の外周側に位置している。なお、説明の便宜上、図２においては段差部１２２を省略する。
【００５９】
遊技機前面ユニット１４の閉鎖状態では、周縁部１２１において段差部１２２よりもベース枠５１側の領域における内周面に対してパネル枠体５４の外周面が重なる。かかる重なり領域は、窓孔２２の全周に亘って形成されている。但し、図２に示すように、窓孔２２は、戻り球を戻り球回収部７７にて回収可能とするために、下方にて一部が切除されているため、当該切除された領域では上記重なり領域は形成されない。この場合に、図５及び図７に示すように、パネル枠体５４の背面に向けた一連の対向面を形成する段差部１２２には、密閉性向上手段として、一連のゴムパッキン１２３が設けられており、遊技機前面ユニット１４の閉鎖状態では、ゴムパッキン１２３がパネル枠体５４の背面と段差部１２２とにより挟まれ圧縮状態となる。これにより、遊技盤２３と窓パネルユニット５３との間の空間の密閉性が高められている。
【００６０】
窓孔２２の周縁部１２１と窓パネルユニット５３との間に重なり領域が形成されているとともに、ゴムパッキン１２３が設けられていることにより、パチンコ機１０の外周側から遊技機前面ユニット１４と遊技機ベースユニット１３との間の空間に仮に不正用治具が挿入されたとしても、当該不正用治具が遊技領域内にまで侵入してしまうことを阻止することが可能となる。
【００６１】
図２に示すように、ベース枠５１における前壁部１１１の背面において、一方のスピーカ装置６３が設けられた箇所を含む所定範囲の領域及び他方のスピーカ装置６４が設けられた箇所を含む所定範囲の領域には、窓パネルユニット５３の背面及び前側縁枠部１１２の突出側端面１１６よりもパチンコ機１０前方に凹んだ前側凹み領域１３１，１３２が形成されている。各前側凹み領域１３１，１３２のうち一方はベース枠５１の回動先端側上部（右上）の隅角部分を含むように形成されているとともに、他方はベース枠５１の回動基端側上部（左上）の隅角部分を含むように形成されている。両前側凹み領域１３１，１３２はそれぞれ、前側縁枠部１１２の内周面及びパネル枠体５４の外周面により区画されているとともに、前壁部１１１の背面に形成された複数の仕切壁（前側仕切部）１３３，１３４，１３５により区画されている。
【００６２】
各仕切壁１３３〜１３５は、図２に示すように、前側凹み領域１３１，１３２を基準とした後方への突出量が、窓パネルユニット５３の背面及び前側縁枠部１１２の突出側端面１１６よりも小さくなっており、さらに前側縁枠部１１２に対して内側から連続しているとともに、パネル枠体５４の外周面に外側から接している。なお、パネル枠体５４の外周面において各仕切壁１３３〜１３５が接している領域は、遊技機前面ユニット１４が閉鎖状態である場合に樹脂ベース２１の窓孔２２内に入り込まない領域である。
【００６３】
上記仕切壁１３３〜１３５のうち、前壁部１１１の背面の上部に形成された上側仕切壁１３３により、両前側凹み領域１３１，１３２が、窓パネルユニット５３の上方において左右に区画されている。また、上記仕切壁１３３〜１３５のうち、前壁部１１１の背面において回動先端側に形成された先端側仕切壁１３４により、両前側凹み領域１３１，１３２のうち、回動先端側の前側凹み領域１３１における下縁が規定されている。また、上記仕切壁１３３〜１３５のうち、前壁部１１１の背面において回動基端側に形成された基端側仕切壁１３５により、両前側凹み領域１３１，１３２のうち、回動基端側の前側凹み領域１３２における下縁が規定されている。なお、上記各仕切壁１３３〜１３５は、ベース枠５１において補強リブとしても機能する。
【００６４】
前壁部１１１に前側凹み領域１３１，１３２が形成されていることに対応させて、樹脂ベース２１の後壁部１１３には後側凹み領域１４１，１４２が形成されている。各後側凹み領域１４１，１４２のうち一方は回動先端側の前側凹み領域１３１に対応しており、樹脂ベース２１の回動先端側上部（右上）の隅角部分を含むように形成されているとともに、他方は回動基端側の前側凹み領域１３２に対応しており、樹脂ベース２１の回動基端側上部（左上）の隅角部分を含むように形成されている。両後側凹み領域１４１，１４２はそれぞれ、後側縁枠部１１４の内周面及びパネル枠体５４の外周面により区画されているとともに、後壁部１１３の前面に形成された複数の仕切壁（後側仕切部）１４３，１４４，１４５により区画されている。
【００６５】
各仕切壁１４３〜１４５は、図２に示すように、後側凹み領域１４１，１４２を基準とした前方への突出量が、窓孔２２の周縁部１２１における先端部及び後側縁枠部１１４の突出側端面と同程度（同一又は略同一）となっており、さらに後側縁枠部１１４において段差部１１５よりも根元側に対して内側から連続しているとともに、パネル枠体５４の外周面に外側から接している。なお、各仕切壁１４３〜１４５は、後側縁枠部１１４と前側縁枠部１１２との内外の重なりを阻害しないように、重なり許容空間を確保して形成されている。
【００６６】
上記仕切壁１４３〜１４５のうち、後壁部１１３の前面の上部に形成された上側仕切壁１４３により、両後側凹み領域１４１，１４２が窓孔２２の上方において左右に区画されている。また、上記仕切壁１４３〜１４５のうち、後壁部１１３の背面において回動先端側に形成された先端側仕切壁１４４により、両後側凹み領域１４１，１４２のうち、回動先端側の後側凹み領域１４１における下縁が規定されている。また、上記仕切壁１４３〜１４５のうち、後壁部１１３の背面において回動基端側に形成された基端側仕切壁１４５により、両後側凹み領域１４１，１４２のうち、回動基端側の後側凹み領域１４２における下縁が規定されている。なお、上記各仕切壁１４３〜１４５は、樹脂ベース２１において補強リブとしても機能する。
【００６７】
遊技機前面ユニット１４の閉鎖状態では、図６に示すように、前壁部１１１に形成された上側仕切壁１３３の突出側端面と、後壁部１１３に形成された上側仕切壁１４３の突出側端面と、が前後に重なっている。また、これと同様に、前壁部１１１に形成された回動先端側の仕切壁１３４における突出側端面と、後壁部１１３に形成された回動先端側の仕切壁１４４における突出側端面と、が前後に重なっているとともに、前壁部１１１に形成された回動基端側の仕切壁１３５における突出側端面と、後壁部１１３に形成された回動基端側の仕切壁１４５における突出側端面と、が前後に重なっている。これにより、図１に示すように、回動先端側における前側凹み領域１３１及び後側凹み領域１４１により閉空間１５１が形成されているとともに、回動基端側における前側凹み領域１３２及び後側凹み領域１４２により閉空間１５２が形成されている。そして、回動先端側の閉空間１５１の前側を区画する前壁部１１１に対して一方のスピーカ装置６３が配置されているとともに、回動基端側の閉空間１５２の前側を区画する前壁部１１１に対して他方のスピーカ装置６４が配置されている。
【００６８】
以下、説明の便宜上、回動先端側のスピーカ装置６３及び閉空間１５１を第１スピーカ装置６３及び第１閉空間１５１と称するとともに、回動基端側のスピーカ装置６４及び閉空間１５２を第２スピーカ装置６４及び第２閉空間１５２と称する。また、第１閉空間１５１及び第２閉空間１５２はそれぞれ同一の構成を有しているため、第１閉空間１５１の構成について詳細に説明し、第２閉空間１５２は同様の構成を有しているものとして説明を省略する。
【００６９】
第１閉空間１５１において当該第１閉空間１５１の前側を区画する前壁部１１１の領域が、第１スピーカ装置６３についてのバッフル板として機能するとともに、第１閉空間１５１が第１スピーカ装置６３のエンクロージャとして機能し、第１スピーカ装置６３の背面側からは第１閉空間１５１内に音が出力される。
【００７０】
図５及び図７に示すように、後壁部１１３において第１閉空間１５１を区画する領域には前後方向の貫通孔１５３が形成されているとともに、遊技盤２３において当該貫通孔１５３と前後に重なる領域にも前後方向の貫通孔１５４が形成されており、これら両貫通孔１５３，１５４が連通していることにより開放用孔部１５５が形成されている。開放用孔部１５５は、その孔長方向の全体に亘って直線的に形成されており、さらに孔径が同一となっている。なお、開放用孔部１５５は、断面円形の孔部として形成されているが、これに限定されることはなく、断面角形の孔部として形成されていてもよい。
【００７１】
開放用孔部１５５は、第１スピーカ装置６３の厚み方向に延びる中心軸線Ａ１に対して開放用孔部１５５の孔長方向に延びる中心軸線Ａ２が同一直線上とならない位置に配置されている。具体的には、開放用孔部１５５は、前壁部１１１に形成された開口部１０５のパチンコ機１０後方の領域から外れた位置に、換言すれば、開口部１０５のパチンコ機１０後方への投影範囲から外れた位置に形成されている。また、より詳細には、開放用孔部１５５は、第１スピーカ装置６３のパチンコ機１０後方の領域から外れた位置に、換言すれば、第１スピーカ装置６３のパチンコ機１０後方への投影範囲から外れた位置に形成されている。
【００７２】
また、開放用孔部１５５は、図５及び図７に示すように、前壁部１１１と後壁部１１３との間において第１閉空間１５１の周面を構成する領域に対して、第１閉空間１５１の内側に離間された位置に形成されている。つまり、前側縁枠部１１２及び後側縁枠部１１４の重なり領域に対して第１閉空間１５１の内側に離間されているとともに、窓孔２２及び窓パネルユニット５３の重なり領域に対して第１閉空間１５１の内側に離間され、さらに各仕切壁１３３，１４３，１３４，１４４の重なり領域に対して第１閉空間１５１の内側に離間された位置に、開放用孔部１５５が形成されている。
【００７３】
開放用孔部１５５により、第１閉空間１５１が遊技盤２３の後方、すなわち遊技機ベースユニット１３の後方の空間に開放されている。ここで、第１スピーカ装置６３の背面からエンクロージャに音を出力する構成においては、当該エンクロージャにより囲まれる空気の粘性分によって第１スピーカ装置６３の振動板の振動が抑制され易い。この場合に、第１スピーカ装置６３から出力される音の低音再生能力を発揮させるためには、エンクロージャの容積が大きいこと、第１スピーカ装置６３の口径が大きいこと、などの条件が知られている。しかしながら、遊技機前面ユニット１４には窓パネルユニット５３、上皿７３及び下皿７４などの各種部材が配置されるため、第１スピーカ装置６３の大型化を図ろうとしても限界があり、さらに遊技ホールにおける既存の島設備にパチンコ機１０を設置する必要があるため、パチンコ機１０の厚み寸法、縦寸法及び横寸法を大きくしようとしても限界があり、それに伴ってエンクロージャの容積の大型化を図ろうとしても限界がある。これに対して、上記のように開放用孔部１５５が形成されていることにより、第１スピーカ装置６３の振動板の振動が抑制され難くなる。
【００７４】
開放用孔部１５５は、図５に示すように、後壁部１１３の厚み寸法及び遊技盤２３の厚み寸法の和となる所定の長さ寸法Ｌを有しているとともに、所定の孔径Ｒａを有している。この場合、開放用孔部１５５が、低音域における所定の特定周波数の音を共鳴させるためのバスレフポートとして機能するように、孔径Ｒａが設定されている。かかる孔径Ｒａは、第１閉空間１５１内の容積Ｖ及び開放用孔部１５５の長さ寸法Ｌとの関係で、特定周波数において共鳴が発生するように、下記ヘルムホルツの数式を用いて算出し設定されている。
【００７５】
【数１】
2010035810.tif 000003
Ｆ：特定周波数、Ｃ：音速、Ｓ：開放用孔部１５５の開口面積（πＲａ２）、Ｖ：第１閉空間１５１の容積、Ｌ：開放用孔部１５５の長さ寸法
上記ヘルムホルツの数式を見ても分かるように、開放用孔部１５５の開口面積、すなわち開放用孔部１５５の孔径Ｒａを小さくすることにより、特定周波数を低くすることができる。本パチンコ機１０では、当該特定周波数を所定の低音域に設定するために、開放用孔部１５５の孔径Ｒａは第１スピーカ装置６３の前面側の口径Ｒｂよりも小さくなるように設定されている。なお、本パチンコ機１０では、開放用孔部１５５の長さ寸法Ｌが後壁部１１３の厚み寸法及び遊技盤２３の厚み寸法により規定されているため、開放用孔部１５５の孔径Ｒａを調整することで、特定周波数を調整しているが、例えば、後壁部１１３の前面や遊技盤２３の背面などに開放用孔部１５５の長さ寸法を延長させるための延長部材を設け、かかる延長部材の長さ寸法を調整することで、特定周波数を調整してもよい。
【００７６】
開放用孔部１５５がバスレフポートとして機能することにより、第１スピーカ装置６３の背面側から出力された音であって特定周波数の音は、開放用孔部１５５にて共鳴し、位相が反転した状態、すなわち第１スピーカ装置６３の前面側から出力される音と同位相となった状態で、遊技機ベースユニット１３の後方に放射される。そして、この放射された音は、遊技機ベースユニット１３と外枠１１との間の隙間などから、パチンコ機１０の前方に伝わり、低音域として設定された特定周波数の音が増強される。これにより、低音域の音質の向上が図られる。
【００７７】
ちなみに、第１スピーカ装置６３は、遊技盤２３の背面に対して設けられた音声ランプ制御装置８２と電気的に接続されており、当該音声ランプ制御装置８２から出力される駆動信号に応じて音の出力を行う。この場合に、図５の二点鎖線で示すように、かかる駆動信号を伝送するための信号線１５６を遊技機ベースユニット１３の前後に通すための通し孔として、開放用孔部１５５を兼用してもよい。また、ＬＥＤ基板などの遊技機前面ユニット１４に設けられた他の電気部品と、音声ランプ制御装置８２などの遊技機ベースユニット１３の背面側や遊技機ベースユニット１３の後方に設けられた制御装置とを電気的に接続するための信号線の通し孔として、開放用孔部１５５を兼用してもよい。
【００７８】
上記のように第１スピーカ装置６３の背面側から第１閉空間１５１に出力された音は開放用孔部１５５を通じてパチンコ機１０の前方に伝わることとなるが、第１閉空間１５１におけるその他の箇所では密閉性が高められている。つまり、既に説明したように、前側縁枠部１１２及び後側縁枠部１１４によりパチンコ機１０の外周部分に重なり領域が形成されているとともに、当該重なり領域に対してゴムパッキン１１７が設けられており、さらに窓孔２２の周縁部１２１と窓パネルユニット５３との間に重なり領域が形成されているとともに、当該重なり領域に対してゴムパッキン１２３が設けられている。これにより、第１閉空間１５１の密閉性が高められている。かかる密閉性の向上は、前壁部１１１に形成された仕切壁１３３，１３４と後壁部１１３に形成された仕切壁１４３，１４４との前後方向の重なりが、所定範囲に亘っての面接触により行われていることによっても図られている。上記のように密閉性が高められていることにより、開放用孔部１５５を通じて伝わる特定周波数未満の音を除いて、第１スピーカ装置６３の前面側から出力された音と、第１スピーカ装置６３の背面側から出力された音とが打ち消しあうことが抑制され、高音質化が図られる。ちなみに、窓孔２２の周縁部１２１と窓パネルユニット５３との間の密閉性が高められていることにより、遊技領域を流下する遊技球に対する、第１スピーカ装置６３の背面側から出力された音の影響が低減されるという効果も奏することができる。
【００７９】
後壁部１１３において第１閉空間１５１を区画する領域の前面には、図５及び図７に示すように、吸音手段として、吸音材１５７が設けられている。本パチンコ機１０では吸音材１５７としてフェルトを用いているが、これに限定されることはなく、グラスウール、ポリウレタン又は汎用のゴム板などを用いてもよい。吸音材１５７は、第１閉空間１５１を区画する他の領域に比して硬度が低いものである。また、吸音材１５７は、開放用孔部１５５を塞がないようにして、後壁部１１３の前面に貼り付けられている。かかる吸音材１５７が設けられていることにより、第１スピーカ装置６３の背面側から出力される音の出力レベルが適度に抑えられており、第１閉空間１５１内における共鳴などに基づく音のビビリを低減することができる。これにより、高音質化が図られる。なお、図２においては、説明の便宜上、吸音材１５７を省略している。
【００８０】
その一方、前壁部１１１において第１閉空間１５１を区画する領域の背面には、ベース枠５１の面方向の強度を高めるために補強金属板１５８が固定されており、吸音材１５７は設けられていない。なお、図２においては、説明の便宜上、補強金属板１５８を省略している。
【００８１】
後壁部１１３において第１閉空間１５１を区画する領域の前面及び前壁部１１１において第１閉空間１５１を区画する領域の背面の両方に吸音材１５７を設ける構成も考えられるが、この場合、それだけ第１閉空間１５１の容積に制約が生じるため、好ましくない。また、第１閉空間１５１の側部を区画する領域は、遊技機前面ユニット１４の開放に際して分離される境界が存在しているため、当該境界に吸音材１５７を設けると遊技機前面ユニット１４の開閉操作に際して吸音材１５７の噛み込みが生じるおそれがあり好ましくない。さらには、補強金属板１５８を前壁部１１１の背面ではなく前面に設けるとともに、前壁部１１１の背面に吸音材１５７を設ける構成も考えられるが、前壁部１１１の前面側には既に説明したようにＬＥＤ基板６１，６２、上皿ユニット７１及び下皿ユニット７２が設けられるため空間的な余裕がなく、当該前壁部１１１の前面側に補強金属板１５８を設けるのは好ましくない。したがって、ビビリ音の抑制化及びベース枠５１における面方向の強度の向上の両方を好適に図る上では、後壁部１１３において第１閉空間１５１を区画する領域の前面に吸音材１５７を設けるとともに、前壁部１１１において第１閉空間１５１を区画する領域の背面に補強金属板１５８を設ける構成とすることが好ましい。
【００８２】
ちなみに、樹脂ベース２１の面方向の強度を高めるために、図５において二点鎖線で示すように、後壁部１１３の背面側に補強金属板１５９を設けてもよい。
【００８３】
＜パチンコ機１０の電気的構成について＞
次に、パチンコ機１０の電気的構成について、図８のブロック図に基づいて説明する。図８では、電力の供給ラインを二重線矢印で示し、信号ラインを実線矢印で示す。
【００８４】
主制御装置８１に設けられた主制御基板１６１には、主制御回路１６２と停電監視回路１６３とが内蔵されている。主制御回路１６２には、ＭＰＵ１６４が搭載されている。ＭＰＵ１６４には、当該ＭＰＵ１６４により実行される各種の制御プログラムや固定値データを記憶したＲＯＭ１６５及び、そのＲＯＭ１６５内に記憶される制御プログラムの実行に際して各種のデータ等を一時的に記憶するためのメモリであるＲＡＭ１６６などが内蔵されている。
【００８５】
主制御回路１６２の入力側には、停電監視回路１６３、払出制御装置９７に設けられた払出制御基板１７１及びその他図示しないスイッチ群などが接続されている。この場合に、停電監視回路１６３には電源及び発射制御装置９８の電源及び発射制御基板１７２が接続されており、主制御回路１６２には停電監視回路１６３を介して電力が供給される。また、主制御回路１６２の出力側には、停電監視回路１６３及び払出制御基板１７１が接続されているとともに、中継端子板１７３を介して音声ランプ制御装置８２の音声ランプ制御基板１７４が接続されている。
【００８６】
主制御回路１６２のＭＰＵ１６４では、可変入賞装置２５や作動口２６，２７等といった入賞部に遊技球が入球したか否かを判定する入球判定処理を実行する。そして、入球判定処理において所定の入賞部に対する入球の発生を特定した場合には、払出制御基板１７１に賞球コマンドを送信し、遊技球の払出を実行させる。また、ＭＰＵ１６４では、上記入球判定処理の他に、作動口２６，２７への入球の発生に基づく大当たり発生抽選処理や、大当たり状態の発生に際して可変入賞装置２５を開閉動作させる開閉処理などを実行する。そして、ＭＰＵ１６４では、これら処理結果に応じて遊技の進行を制御することとなるが、かかる遊技の進行に伴う演出をスピーカ装置６３，６４から出力される音などにより行わせるために、音声ランプ制御基板１７４に演出用コマンドを送信する。
【００８７】
停電監視回路１６３は、主制御回路１６２と電源及び発射制御基板１７２とを中継し、また電源及び発射制御基板１７２から出力される最大電源である直流安定２４ボルトの電源を監視する。
【００８８】
払出制御基板１７１は、主制御回路１６２のＭＰＵ１６４から送信される賞球コマンドに基づいて、払出装置９６を通じて賞球の払出制御などを行うものである。演算装置であるＭＰＵ１７５は、そのＭＰＵ１７５により実行される制御プログラムや固定値データ等を記憶したＲＯＭ１７６と、ワークメモリ等として使用されるＲＡＭ１７７とを備えている。
【００８９】
電源及び発射制御基板１７２は、電源部と発射制御部とを備えている。電源部は、二重線矢印で示す経路を通じて、主制御回路１６２や払出制御基板１７１等に対して各々に必要な動作電力を供給する。発射制御部は、遊技者による発射ハンドル４４の操作にしたがって遊技球発射機構４３の発射制御を担うものであり、遊技球発射機構４３は所定の発射条件が整っている場合に駆動される。
【００９０】
音声ランプ制御基板１７４は、主制御回路１６２のＭＰＵ１６４から送信される演出用コマンドに基づいて、ＬＥＤ基板６１，６２、スピーカ装置６３，６４及び表示制御装置１７８を制御するものである。演算装置であるＭＰＵ１８１は、そのＭＰＵ１８１により実行される制御プログラムや固定値データ等を記憶したＲＯＭ１８２と、ワークメモリ等として使用されるＲＡＭ１８３とを備えている。なお、スピーカ装置６３，６４から出力される音を通じて演出が行われる構成に限定されることはなく、所定の異常状態が主制御回路１６２のＭＰＵ１６４にて特定された場合には、その報知を行うためにスピーカ装置６３，６４から音が出力される構成としてもよい。また、表示制御装置１７８を通じて図柄表示装置３２が表示制御される。
【００９１】
以上詳述した本実施の形態によれば、以下の優れた効果を奏する。
【００９２】
遊技機前面ユニット１４が閉鎖位置に配置されている状態では遊技機前面ユニット１４のベース枠５１と遊技機ベースユニット１３の樹脂ベース２１とにより閉空間１５１，１５２が区画形成され、スピーカ装置６３，６４の背面側からは当該閉空間１５１，１５２に対して音が出力される。これにより、スピーカ装置６３，６４の前面側から出力された音と背面側から出力された音との打ち消し合いが起こりにくくなり、高音質化が図られる。特に、本構成では、遊技機前面ユニット１４と遊技機ベースユニット１３とを用いて閉空間１５１，１５２が形成される構成であるため、閉空間１５１，１５２を形成するために遊技機前面ユニット１４及び遊技機ベースユニット１３とは別の部材を設ける必要はない。したがって、遊技機前面ユニット１４の背面側や遊技機ベースユニット１３の前面側の空間を有効活用しながら、上記効果を奏することができる。さらには、遊技機前面ユニット１４を開放位置に配置することで、閉空間１５１，１５２をパチンコ機１０前方に開放させることができるため、閉空間１５１，１５２のメンテナンスやスピーカ装置６３，６４のメンテナンスを良好に行うことができる。
【００９３】
また、スピーカ装置６３，６４の背面側から閉空間１５１，１５２に音を出力する構成においては、当該閉空間１５１，１５２により囲まれる空気の粘性分によってスピーカ装置６３，６４の振動板１０３，１０４の振動が抑制され易くなる。この場合に、樹脂ベース２１の後壁部１１３において閉空間１５１，１５２を区画する領域には開放用孔部１５５が形成されており、閉空間１５１，１５２が外部に開放されているため、スピーカ装置６３，６４の振動板１０３，１０４の振動が抑制され難くなる。また、仮に、ベース枠５１の前壁部１１１において閉空間１５１，１５２を区画する領域に開放用孔部を形成する構成においては、当該開放用孔部を通じてパチンコ機１０前方から遊技機ベースユニット１３の前面側に不正用治具を挿入し易くなるが、上記のように後壁部１１３に開放用孔部１５５が形成されていることにより、かかる不都合の発生を抑えながら、開放用孔部１５５を設けることができる。
【００９４】
さらには、開放用孔部１５５は低音域において設定された特定周波数の音を増強するためのバスレフポートとして機能し、さらに開放用孔部１５５から放射される音は遊技機ベースユニット１３と外枠１１との間の隙間などからパチンコ機１０前方に伝わり、上記特定周波数の音が増強される。これにより、低音域の音質の向上が図られる。
【００９５】
スピーカ装置６３，６４が遊技機前面ユニット１４に設けられた構成の場合、当該スピーカ装置６３，６４に孔を開ける又はスピーカ装置６３，６４を取り外すといった行為により、パチンコ機１０前方から遊技機前面ユニット１４の後方へ通じる通路を不正に形成し、当該通路を通じて遊技機前面ユニット１４の後方へ不正用治具を挿入する行為が想定される。そして、上記のように後壁部１１３に開放用孔部１５５が形成された構成においては、当該開放用孔部１５５を通じて上記不正用治具をさらに遊技機ベースユニット１３の背面側に侵入させる行為が想定される。これに対して、開放用孔部１５５の孔長方向に延びる中心軸線がスピーカ装置６３，６４の厚み方向に延びる中心軸線と同一直線上とならない位置に開放用孔部１５５が形成されているため、スピーカ装置６３，６４の位置から直線的に不正用治具を挿入したとしてもそれが開放用孔部１５５に入り込みづらくなる。よって、上記不正用治具が遊技機ベースユニット１３の背面側にまで侵入してしまうことを抑制することができる。
【００９６】
特に、開放用孔部１５５は、後壁部１１３において遊技機前面ユニット１４が閉鎖位置に配置されている場合にスピーカ装置６３，６４のパチンコ機１０後方の領域から外れた位置に形成されているため、スピーカ装置６３，６４の位置から不正用治具を挿入したとしても、当該不正用治具の曲げ操作などを行って当該不正用治具の先端側をさらに開放用孔部１５５の位置まで持っていく必要があり、当該不正用治具が開放用孔部１５５に入り込みづらくなる。よって、上記不正用治具が遊技機ベースユニット１３の背面側にまで侵入してしまうことを抑制することができる。
【００９７】
また、開放用孔部１５５は、孔長方向に対して直交する方向の断面の面積がスピーカ装置６３，６４の前面側の面積よりも小さくなるように形成されている。この点からも、スピーカ装置６３，６４の位置から不正用治具が挿入されたとしても、当該不正用治具が開放用孔部１５５に入り込みづらくなり、当該不正用治具が遊技機ベースユニット１３の背面側にまで侵入してしまうことを抑制することができる。
【００９８】
また、開放用孔部１５５は、前壁部１１１と後壁部１１３との間において閉空間１５１，１５２の周面を構成する領域に対して、閉空間１５１，１５２の内側に離間された位置に形成されている。これにより、スピーカ装置６３，６４の位置から挿入した不正用治具の先端側を閉空間１５１，１５２の周面に沿わせることで当該先端側を開放用孔部１５５の位置まで持っていこうとしても、それが行いづらくなる。
【００９９】
遊技機ベースユニット１３の前面側の空間を有効活用すべく、遊技領域と閉空間１５１，１５２とが隣接された構成において、樹脂ベース２１に形成された窓孔２２とベース枠５１に取り付けられた窓パネルユニット５３の重なり領域により、遊技領域と閉空間１５１，１５２とが区画されている。これにより、スピーカ装置６３，６４の背面側から出力された音による振動が遊技領域における空気にまで伝わりにくくなり、遊技領域を流下する遊技球に対するスピーカ装置６３，６４の背面側から出力された音の影響を低減することができる。
【０１００】
また、上記区画構造は、窓孔２２の周縁部１２１の内側に窓パネルユニット５３のパネル枠体５４が入り込み、これら周縁部１２１とパネル枠体５４とが内外に重なり合うことにより形成されている。これにより、遊技機前面ユニット１４と遊技機ベースユニット１３との境界から不正用治具が挿入されたとしても、当該不正用治具が遊技領域にまで侵入してしまうことを抑制することができるとともに、閉空間１５１，１５２から遊技領域側への密閉性が高められることに起因して、スピーカ装置６３，６４の背面側から閉空間１５１，１５２に出力された音による振動が遊技領域の空気にまで伝わりにくくなる。
【０１０１】
さらに、上記区画構造は、遊技領域をパチンコ機１０前方から視認可能とする窓孔２２及び窓パネルユニット５３を用いて形成されている。つまり、パチンコ機１０において遊技領域を視認可能とするために必要な構成を利用して上記区画構造が形成されることで、構成の簡素化を図りつつ、区画構造に起因した上記優れた効果を奏することができる。
【０１０２】
閉空間１５１，１５２を区画する周面に硬度低下領域として吸音材１５７が設けられていることにより、スピーカ装置６３，６４の背面側から出力される音の出力レベルが適度に抑えられており、閉空間１５１，１５２内における共鳴などに基づく音のビビリを低減することができる。これにより、高音質化が図られる。
【０１０３】
＜第２の実施の形態＞
上記第１の実施の形態では、開放用孔部１５５が、遊技機ベースユニット１３の樹脂ベース２１を構成する後壁部１１３に対して形成されていたが、本実施の形態ではそれが、遊技機前面ユニット１４のベース枠５１を構成する前壁部１１１に対して形成されている。当該構成について、図９を用いて説明する。図９は、第１閉空間１５１及びその周辺部分の構成を示すパチンコ機１０の縦断面図である。なお、図９において、遊技機ベースユニット１３及び遊技盤２３の背面側の構成は、説明の便宜上、省略する。また、上記第１の実施の形態と相違する構成について説明し、上記第１の実施の形態と同一の構成については基本的に説明を省略する。
【０１０４】
図９に示すように、前壁部１１１において第１閉空間１５１を区画する領域には前後方向の断面円形の貫通孔１９１が形成されているとともに、当該貫通孔１９１が形成された領域に対してポート形成部材１９２が取り付けられている。ポート形成部材１９２は、貫通孔１９１の孔径と同一の孔径を有する筒孔１９３が形成された筒状部１９４と、当該筒状部１９４において筒孔１９３の一方の開口側端部から外側に張り出すようにして形成されたフランジ部１９５と、が一体形成されてなる。
【０１０５】
ポート形成部材１９２は、貫通孔１９１と同一軸線上に筒孔１９３が位置し、且つ前壁部１１１の背面において貫通孔１９１の周縁部にフランジ部１９５が重なるように、前壁部１１１の背面側に配置され、その状態で前壁部１１１の背面側からネジ止めされている。これにより、第１閉空間１５１には、第１スピーカ装置６３の背面側から第１閉空間１５１に出力された音を、パチンコ機１０前方に向けて放射するためのバスレフポートとして開放用孔部１９６が設けられている。
【０１０６】
当該開放用孔部１９６の長さ寸法及び孔径は、低音域における特定周波数の音を共鳴させることができるように設定されている。また、開放用孔部１９６のパチンコ機１０前方には前面カバー６５が設けられているが、当該前面カバー６５において開放用孔部１９６と対向する領域には、バスレフポート側放出孔として複数のスリット１９７が形成されている。
【０１０７】
以上詳述した本実施の形態によれば、第１スピーカ装置６３の背面側から出力された音であって特定周波数の音は、開放用孔部１９６にて共鳴し、位相が反転した状態、すなわち第１スピーカ装置６３の前面側から出力される音と同位相となった状態で、遊技機前面ユニット１４の前方に放射される。これにより、低音域の音質の向上が図られる。特に、本構成によれば、開放用孔部１９６にて共鳴された特定周波数の音は、開放用孔部１９６からパチンコ機１０前方に向けて放射されるため、当該音が遊技者に伝わり易くなる。
【０１０８】
＜第３の実施の形態＞
上記第１の実施の形態では、開放用孔部１５５が、遊技機ベースユニット１３の樹脂ベース２１を構成する後壁部１１３に対して形成されていたが、本実施の形態では、かかる開放用孔部１５５が形成されておらず、代わりに、当該開放用孔部１５５の機能が遊技球を所定の領域に導くための通路にて兼用されている。当該構成について、図１０及び図１１を用いて説明する。図１０は、本実施の形態における第１閉空間２０１の領域を説明するためのパチンコ機１０の正面図であり、図１１は、第１閉空間２０１及びその周辺部分の構成を示すパチンコ機１０の縦断面図である。なお、図１１において、遊技機ベースユニット１３及び遊技盤２３の背面側の構成は、説明の便宜上、省略する。また、上記第１の実施の形態と相違する構成について説明し、上記第１の実施の形態と同一の構成については基本的に説明を省略する。
【０１０９】
図１０に示すように、第１閉空間２０１は、遊技機本体１２の回動先端側において、窓パネルユニット５３の上方から当該窓パネルユニット５３の下方に至る領域に亘って、当該窓パネルユニット５３を迂回するようにして形成されている。この場合、第１閉空間２０１の下側は、遊技機前面ユニット１４に設けられた仕切壁２０２と、遊技機ベースユニット１３に設けられた仕切壁２０３とが上下に重ね合わせられた領域により区画されている。
【０１１０】
つまり、第１閉空間２０１は、図１０及び図１１に示すように、前側縁枠部１１２及び後側縁枠部１１４の重なり領域と、窓孔２２の周縁部１２１及び窓パネルユニット５３の重なり領域と、窓パネルユニット５３よりも上方の各仕切壁１３３，１４３の重なり領域と、窓パネルユニット５３よりも下方の各仕切壁２０２，２０３の重なり領域とにより、区画形成されている。
【０１１１】
上記下側を区画する仕切壁２０２，２０３の高さ位置は、戻り球回収部７７の上方開放部７８の高さ位置とほぼ同一となっており、各仕切壁２０２，２０３は戻り球回収部７７の上方開放部との干渉を回避するように一部が除去されている。上記のように各仕切壁２０２，２０３が形成されていることにより、第１閉空間２０１は戻り球回収部７７に形成された回収通路２０４と連通されている。また、回収通路２０４は、下皿７４に対して直接連通されている。これにより、第１閉空間２０１は、回収通路２０４を通じて下皿７４と連通されている。
【０１１２】
上記構成では、第１閉空間２０１を外部に開放させるための開放用孔部が回収通路２０４を用いて形成されている。これにより、パチンコ機１０において遊技球を所定の領域に導くための構成を利用して、第１閉空間２０１を外部に開放させることができる。特に、戻り球回収部７７は、遊技球発射機構４３から発射されたが遊技領域まで至らず誘導レール内を逆流してくる戻り球を回収するためのものである。したがって、戻り球回収部７７において上方開放部７８は、その機能を発揮させる上で確実に遊技機前面ユニット１４と遊技機ベースユニット１３との間の空間に臨むこととなる。そして、当該戻り球回収部７７を開放用孔部として用いることにより、戻り球回収部７７の構成をそのまま利用して、第１閉空間１５１を外部に開放させることができる。
【０１１３】
また、戻り球回収部７７の上方開放部７８から下皿７４の球入口７４ａに至る回収通路２０４は、その長さ寸法及び断面積（又は回収通路２０４の容積）が、低音域における特定周波数の音を共鳴させることができるように設定されている。下皿７４はパチンコ機１０前面において開放されている。これにより、第１スピーカ装置６３の背面側から出力された音であって特定周波数の音は、回収通路２０４にて共鳴し、位相が反転した状態、すなわち第１スピーカ装置６３の前面側から出力される音と同位相となった状態で、遊技機前面ユニット１４の前方に放射される。これにより、低音域の音質の向上が図られる。
【０１１４】
＜第４の実施の形態＞
本実施の形態では、第１スピーカ装置６３の前面の向き、及び第１閉空間１５１に形成された開放用孔部の位置が上記第１の実施の形態と異なっている。当該構成について、図１２を用いて説明する。図１２は、第１閉空間１５１及びその周辺部分の構成を示すパチンコ機１０の縦断面図である。なお、図１２において、遊技機ベースユニット１３及び遊技盤２３の背面側の構成は、説明の便宜上、省略する。また、上記第１の実施の形態と相違する構成について説明し、上記第１の実施の形態と同一の構成については基本的に説明を省略する。
【０１１５】
図１２に示すように、前壁部１１１において第１閉空間１５１を区画する領域は、その上半分が斜め下方を向くように形成されている。そして、当該斜め下方を向くように形成された領域に対して第１スピーカ装置６３が取り付けられており、第１スピーカ装置６３の前面も斜め下方を向いている。これにより、第１スピーカ装置６３の前面側から出力された音は、パチンコ機１０の前方であって斜め下方、すなわち遊技者の頭部に向けて伝搬していく。
【０１１６】
上記構成において、開放用孔部２１１は、後壁部１１３において第１閉空間を区画する領域に形成されているが、その形成された位置は、遊技盤２３の配置領域から外れた位置となっている。つまり、本実施の形態では、開放用孔部２１１は、後壁部１１３に形成された貫通孔のみによって構成されており、上記第１の実施の形態と異なり、開放用孔部２１１には遊技盤２３に形成された貫通孔は含まれていない。
【０１１７】
また、開放用孔部２１１が形成された位置は、第１スピーカ装置６３のパチンコ機１０後方への投影範囲には含まれるものの、第１スピーカ装置６３を挿通させるための開口部１０５のパチンコ機１０後方への投影範囲には含まれていない。さらには、開放用孔部２１１は、その中心軸線が第１スピーカ装置６３の中心軸線と同一直線上とならない位置に形成されている。これにより第１スピーカ装置６３を取り外して、開口部１０５を通じて直線的に不正用治具を挿入したとしてもそれが開放用孔部２１１に入り込みづらくなる。よって、上記不正用治具が遊技機ベースユニット１３の背面側にまで侵入してしまうことを抑制することができる。
【０１１８】
＜他の実施の形態＞
なお、上述した各実施の形態の記載内容に限定されず、例えば次のように実施してもよい。ちなみに、以下の各構成を個別に上記各実施の形態に対して適用してもよく、一部又は全部を組み合わせて上記各実施の形態に対して適用してもよい。また、以下の各構成を、適用対象として例示した実施の形態以外の実施の形態に対して適用してもよい。
【０１１９】
（１）上記第１の実施の形態では、開放用孔部１５５がバスレフポートとして機能する構成としたが、当該開放用孔部１５５が閉空間１５１，１５２を外部に開放させる機能を有するものの、バスレフポートとしての機能を有さない構成としてもよい。この場合であっても、閉空間１５１，１５２により囲まれる空気の粘性分が低下するため、開放用孔部１５５が設けられていない構成に比べれば、高音質化が図られる。
【０１２０】
また、本構成においては、開放用孔部１５５が放射されてしまう音がパチンコ機１０前方に伝搬していかないようにするための密閉性向上構造を、遊技機ベースユニット１３と外枠１１との境界や、遊技機本体１２と外枠１１との境界に設けてもよい。
【０１２１】
（２）上記第１の実施の形態では、１個の閉空間１５１，１５２に対して１個の開放用孔部１５５を設けたが、１個の閉空間１５１，１５２に対して複数の開放用孔部１５５を設けてもよい。
【０１２２】
また、１個の閉空間１５１，１５２に対して１個のスピーカ装置６３，６４を設けたが、１個の閉空間１５１，１５２に対して複数のスピーカ装置６３，６４を設けてもよい。この場合、各スピーカ装置６３，６４のそれぞれに対応させて開放用孔部１５５を設けてもよく、複数のスピーカ装置６３，６４に対して共通する１個の開放用孔部１５５を設けてもよい。
【０１２３】
また、スピーカ装置６３，６４の数は、２個に限定されることはなく、１個又は３個以上としてもよく、３個以上とした場合、それらスピーカ装置に対して個別に閉空間を設けてもよく、それらスピーカ装置に対して共通する１個の閉空間を設けてもよい。
【０１２４】
（３）上記第１の実施の形態において、開放用孔部１５５から放射された音を、所定の位置に導くための通路を設けてもよい。この場合、当該通路として、例えば、払出装置９６から払い出された遊技球を上皿７３又は下皿７４に導くための通路を用いてもよい。また、上記通路として、裏パックユニット１５の後方に音を導く通路を設けてもよい。
【０１２５】
（４）上記第１の実施の形態において、スピーカ装置６３，６４及び閉空間１５１，１５２を設ける位置は窓パネルユニット５３の上方に限定されることはなく、窓パネルユニット５３の側方であってもよく、窓パネルユニット５３の下方であってもよい。
【０１２６】
（５）上記第１の実施の形態において、閉空間１５１，１５２の周面が、前側縁枠部１１２及び後側縁枠部１１４の重なり領域と、窓孔２２及び窓パネルユニット５３の重なり領域と、前壁部１１１に形成された仕切壁１３３〜１３５及び後壁部１１３に形成された仕切壁１４３〜１４５の重なり領域と、により区画されている構成に限定されない。例えば、上記のうち、前側縁枠部１１２及び後側縁枠部１１４の重なり領域と、前壁部１１１に形成された仕切壁１３３〜１３５及び後壁部１１３に形成された仕切壁１４３〜１４５の重なり領域とにより、閉空間１５１，１５２の周面が区画されている構成としてもよく、窓孔２２及び窓パネルユニット５３の重なり領域と、前壁部１１１に形成された仕切壁１３３〜１３５及び後壁部１１３に形成された仕切壁１４３〜１４５の重なり領域とにより、閉空間１５１，１５２の周面が区画されている構成としてもよく、前壁部１１１に形成された仕切壁１３３〜１３５及び後壁部１１３に形成された仕切壁１４３〜１４５の重なり領域のみにより、閉空間１５１，１５２の周面が区画されている構成としてもよい。
【０１２７】
（６）上記第１の実施の形態において、開放用孔部１５５の孔長方向に延びる中心軸線がスピーカ装置６３，６４の厚み方向に延びる中心軸線と同一直線上とならない位置に開放用孔部１５５が形成されているものの、スピーカ装置６３，６４を取り付けるための開口部１０５，１０６のパチンコ機１０後方の領域に開放用孔部１５５が含まれている構成としてもよい。この場合であっても、スピーカ装置６３，６４の位置から直線的に不正用治具を挿入したとしてもそれが開放用孔部１５５に入り込みづらくなる。
【０１２８】
（７）上記第１の実施の形態では、閉空間１５１，１５２に遊技領域が含まれていない構成としたが、閉空間１５１，１５２に遊技領域が含まれている構成としてもよい。この場合、スピーカ装置６３，６４の背面側から出力された音圧により、遊技領域を流下する遊技球の動きに変化を与えることが可能となる。
【０１２９】
なお、閉空間１５１，１５２に遊技領域が含まれない構成であっても、スピーカ装置６３，６４の背面側から出力された音圧により、窓パネルユニット５３を振動させることができるようにすることで、遊技領域を流下する遊技球の動きに変化を与えることが可能な構成としてもよい。
【０１３０】
（８）上記第１の実施の形態において、窓孔２２と窓パネルユニット５３との重なり領域が閉空間１５１，１５２と遊技領域とを区画する区画構造として機能するのではなく、樹脂ベース２１において窓孔２２とは別に設けられた仕切壁と、ベース枠５１において窓パネルユニット５３とは別に設けられた仕切壁との重なり領域が、閉空間１５１，１５２と遊技領域とを区画する区画構造として機能する構成としてもよい。
【０１３１】
また、窓孔２２の内周側に窓パネルユニット５３が入り込むことで、上記区画構造が形成される構成としたが、これに限定されることはなく、例えば、窓パネルユニット５３の背面における外周縁に一連の枠溝を形成し、当該枠溝内に窓孔２２の周縁部１２１の先端側が入り込むことで、上記区画構造が形成される構成としてもよい。但し、構成を単純なものとする上では、前者の構成が好ましい。
【０１３２】
（９）上記第１の実施の形態において、ゴムパッキン１１７，１２３が設けられていない構成としてもよい。
【０１３３】
（１０）上記第１の実施の形態において、樹脂ベース２１に設けられた窓孔２２が遊技領域を区画する機能を有しておらず、当該遊技領域を区画する部材は遊技盤２３に設けられている構成としてもよい。この場合、窓孔２２は遊技領域を遊技機ベースユニット１３の前面側に露出させる機能のみを有することとなる。本構成であっても、閉空間１５１，１５２と遊技領域とを区画する区画構造が、窓孔２２と窓パネルユニット５３との重なり領域により形成される構成としてもよい。
【０１３４】
（１１）上記第１の実施の形態において、吸音材１５７が設けられておらず、代わりに、後壁部１１３において閉空間１５１，１５２のパチンコ機１０後側を区画する領域が低硬度の材料により形成されている構成としてもよい。例えば、遊技領域の一部が閉空間１５１，１５２に含まれる構成においては、遊技盤２３の前面に貼り付けられているセルシートが硬度低下領域として、すなわち吸音手段として機能する構成としてもよい。
【０１３５】
（１２）上記第１の実施の形態において、吸音材１５７が、前壁部１１１において閉空間１５１，１５２のパチンコ機１０前側を区画する領域に設けられている構成としてもよく、閉空間１５１，１５２における前壁部１１１と後壁部１１３との間の周面に設けられている構成としてもよい。
【０１３６】
（１３）閉空間１５１，１５２がエンクロージャとしての機能を有する点に着目すれば、開放用孔部１５５が形成されていなくてもよく、また吸音材１５７が設けられていない構成としてもよい。
【０１３７】
（１４）開放用孔部１５５が音圧の開放用又はバスレフポートとしての機能を有する点に着目すれば、吸音材１５７が設けられていない構成としてもよい。
【０１３８】
（１５）閉空間１５１，１５２がエンクロージャとしての機能を有する点及び吸音材１５７により出力レベルを好適に低減させることができる点に着目すれば、開放用孔部１５５が設けられていない構成としてもよい。
【０１３９】
（１６）上記各実施の形態では、球受け皿として上皿７３と下皿７４とを備えたパチンコ機１０に本発明を適用したが、これに代えて、単一の球受け皿を備えたパチンコ機に本発明を適用してもよい。また、停電監視装置を主制御装置８１とは別に設けることで、主制御基板１６１は主制御回路１６２のみの機能を有する構成としてもよい。
【０１４０】
（１７）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１４１】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。本スロットマシンは、前方に開放された箱状をなす筐体と、当該筐体の開口を塞ぐ前面扉とを備えている。この場合に、前面扉にスピーカ装置を設けるとともに、前面扉と筐体とにより閉空間を形成する構成としてもよく、かかる構成に対して開放用孔部の構成や吸音材の構成などを適用してもよい。
【０１４２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０１４３】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０１４４】
特徴Ａ１．遊技機ベース（遊技機ベースユニット１３）と、
当該遊技機ベースの前方に設けられているとともに、当該遊技機ベースの前面における少なくとも一部の領域を前方から覆う閉鎖位置と当該領域を遊技機前方に開放させる開放位置とのそれぞれに配置できるように設けられた遊技機前面体（遊技機前面ユニット１４）と、
当該遊技機前面体に設けられたスピーカ装置（スピーカ装置６３，６４）と、
を備え、
前記遊技機前面体が前記閉鎖位置に配置されている状態では、当該遊技機前面体を構成する部位と前記遊技機ベースを構成する部位とにより特定空間（閉空間１５１，１５２）が区画形成される構成であり、
前記スピーカ装置は、前面側から出力された音が前記遊技機前面体の前面から遊技機前方に向けて伝わり、且つ背面側からは前記特定空間に対して音が出力されるように、前記遊技機前面体において前記特定空間の遊技機前側の範囲を区画する前壁部（前壁部１１１）に取り付けられており、
さらに、前記遊技機ベースにおいて、前記遊技機前面体が前記閉鎖位置に配置されている場合に前記前壁部に対して所定の間隔を隔てて対向され前記特定空間の遊技機後側の範囲を区画する後壁部（後壁部１１３）に、前記特定空間をその外部に開放させる開放用孔部（開放用孔部１５５等）を備えており、
当該開放用孔部は、当該開放用孔部の孔長方向に延びる中心軸線が前記スピーカ装置の厚み方向に延びる中心軸線と同一直線上とならない位置に形成されていることを特徴とする遊技機。
【０１４５】
特徴Ａ１によれば、遊技機前面体が閉鎖位置に配置されている状態では遊技機前面体を構成する部位と遊技機ベースを構成する部位とにより特定空間が区画形成され、スピーカ装置の背面側からは当該特定空間に対して音が出力される。これにより、スピーカ装置の前面側から出力された音と背面側から出力された音との打ち消し合いが起こりにくくなり、高音質化が図られる。
【０１４６】
特に、本構成では、遊技機前面体と遊技機ベースとを用いて特定空間が形成される構成であるため、特定空間を形成するために遊技機前面体及び遊技機ベースとは別の部材を設ける必要はない。したがって、遊技機前面体の背面側や遊技機ベースの前面側の空間を有効活用しながら、上記効果を奏することができる。
【０１４７】
また、遊技機前面体を開放状態とすることで、特定空間を遊技機前方に開放させることができるため、特定空間のメンテナンスやスピーカ装置のメンテナンスを良好に行うことができる。
【０１４８】
また、スピーカ装置の背面側から特定空間に音を出力する構成においては、当該特定空間により囲まれる空気の粘性分によってスピーカ装置の振動板の振動が抑制され易くなる。この場合に、開放用孔部を通じて特定空間が外部に開放されているため、スピーカ装置の振動板の振動が抑制され難くなる。
【０１４９】
また、仮に、遊技機前面から遊技機ベースに通じる孔部が形成されると、当該孔部を通じて遊技機前方から遊技機ベースに向けて不正用治具を挿入し易くなるが、後壁部に開放用孔部が形成されていることにより、上記不都合の発生を抑えながら、開放用孔部を設けることができる。
【０１５０】
さらにまた、スピーカ装置が遊技機前面体に設けられた構成の場合、当該スピーカ装置に孔を開ける又はスピーカ装置を取り外すといった行為により、遊技機前方から遊技機前面体の後方へ通じる通路を不正に形成し、当該通路を通じて遊技機前面体の後方へ不正用治具を挿入する行為が想定される。そして、後壁部に開放用孔部が形成された構成においては、当該開放用孔部を通じて上記不正用治具をさらに遊技機ベースの背面側に侵入させる行為が想定される。これに対して、開放用孔部の孔長方向に延びる中心軸線がスピーカ装置の厚み方向に延びる中心軸線と同一直線上とならない位置に開放用孔部が形成されているため、スピーカ装置の位置から直線的に不正用治具を挿入したとしてもそれが開放用孔部に入り込みづらくなる。よって、上記不正用治具が遊技機ベースの背面側にまで侵入してしまうことを抑制することができる。
【０１５１】
以上より、スピーカ装置から出力される音の高音質化を良好に図ることができる。
【０１５２】
特徴Ａ２．前記開放用孔部は、前記後壁部において、前記遊技機前面体が前記閉鎖位置に配置されている場合に前記スピーカ装置の遊技機後方の領域から外れた位置に形成されていることを特徴とする特徴Ａ１に記載の遊技機。
【０１５３】
特徴Ａ２によれば、開放用孔部は、後壁部において、遊技機前面体が閉鎖位置に配置されている場合にスピーカ装置の遊技機後方の領域から外れた位置に形成されているため、スピーカ装置の位置から不正用治具を挿入したとしても、当該不正用治具の曲げ操作などを行って当該不正用治具の先端側をさらに開放用孔部の位置まで持っていく必要があり、当該不正用治具が開放用孔部に入り込みづらくなる。よって、上記不正用治具が遊技機ベースの背面側にまで侵入してしまうことを抑制することができる。
【０１５４】
特徴Ａ３．前記スピーカ装置は、前記前壁部に形成された前後方向に貫通する貫通孔（開口部１０５，１０６）に対して取り付けられており、
当該貫通孔に対して前記スピーカ装置が取り付けられていることにより、当該スピーカ装置の前面側は前記前壁部の前面側に露出するとともに、当該スピーカ装置の背面側が前記特定空間側に露出し、
前記開放用孔部は、前記後壁部において、前記遊技機前面体が前記閉鎖位置に配置されている場合に前記貫通孔の遊技機後方の領域から外れた位置に形成されていることを特徴とする特徴Ａ１に記載の遊技機。
【０１５５】
スピーカ装置が貫通孔を通じて遊技機前面体に設けられた構成の場合、スピーカ装置を取り外し、貫通孔を通じて遊技機前面体の後方へ不正用治具を挿入する行為が想定される。そして、上記特徴Ａ１の構成を備え、後壁部に開放用孔部が形成された構成においては、当該開放用孔部を通じて上記不正用治具をさらに遊技機ベースの背面側に侵入させる行為が想定される。これに対して、特徴Ａ３によれば、開放用孔部は、後壁部において、遊技機前面体が閉鎖位置に配置されている場合に貫通孔の遊技機後方の領域から外れた位置に形成されているため、スピーカ装置の位置から不正用治具を挿入したとしても、当該不正用治具の曲げ操作などを行って当該不正用治具の先端側をさらに開放用孔部の位置まで持っていく必要があり当該不正用治具が開放用孔部に入り込みづらくなる。よって、上記不正用治具が遊技機ベースの背面側にまで侵入してしまうことを抑制することができる。
【０１５６】
特徴Ａ４．前記開放用孔部は、孔長方向に対して直交する方向の断面の面積が前記スピーカ装置の前面側の面積よりも小さくなるように形成されていることを特徴とする特徴Ａ１乃至Ａ３のいずれか１に記載の遊技機。
【０１５７】
特徴Ａ４によれば、開放用孔部は、孔長方向に対して直交する方向の断面の面積がスピーカ装置の前面側の面積よりも小さくなるように形成されているため、スピーカ装置の位置から不正用治具が挿入されたとしても、当該不正用治具が開放用孔部に入り込みづらくなる。よって、上記不正用治具が遊技機ベースの背面側にまで侵入してしまうことを抑制することができる。
【０１５８】
特徴Ａ５．前記スピーカ装置は、前記前壁部に形成された前後方向に貫通する貫通孔（開口部１０５，１０６）に対して取り付けられており、
当該貫通孔に対して前記スピーカ装置が取り付けられていることにより、当該スピーカ装置の前面側は前記前壁部の前面側に露出するとともに、当該スピーカ装置の背面側が前記特定空間側に露出し、
さらに、前記開放用孔部は、その孔長方向に対して直交する方向の断面の面積が、前記貫通孔の孔長方向に対して直交する方向の断面の面積よりも小さくなるように形成されていることを特徴とする特徴Ａ１乃至Ａ３のいずれか１に記載の遊技機。
【０１５９】
特徴Ａ５によれば、開放用孔部は、その孔長方向に対して直交する方向の断面の面積が、上記貫通孔の孔長方向に対して直交する方向の断面の面積よりも小さくなるように形成されているため、貫通孔から不正用治具が挿入されたとしても、当該不正用治具が開放用孔部に入り込みづらくなる。よって、上記不正用治具が遊技機ベースの背面側にまで侵入してしまうことを抑制することができる。
【０１６０】
特徴Ａ６．前記遊技機前面体が前記閉鎖位置に配置されている場合に前記前壁部と前記後壁部との間に位置することで前記特定空間の周面を区画する領域に対して、前記特定空間の内側に離間されることとなる位置に前記開放用孔部が形成されていることを特徴とする特徴Ａ１乃至Ａ５のいずれか１に記載の遊技機。
【０１６１】
スピーカ装置の位置から不正用治具が挿入された場合、当該不正用治具の先端側を特定空間の周面に沿わせることで当該先端側を開放用孔部の位置まで持っていく行為が想定される。これに対して、特徴Ａ６によれば、開放用孔部は、特定空間の周面を区画する領域に対して、特定空間の内側に離間されることとなる位置に形成されているため、不正用治具の先端側を特定空間の周面に沿わせたとしても、当該先端側が開放用孔部に入り込みづらくなる。
【０１６２】
特徴Ａ７．前記スピーカ装置は、前記遊技機ベースの背面側又は当該遊技機ベースの後方に設けられた装置（音声ランプ制御装置８２）と配線（信号線１５６）を介して電気的に接続されており、当該配線を通じて当該装置から供給される電力又は信号に基づいて動作するものであり、
前記配線は、前記開放用孔部を通じて、前記遊技機ベースの前後に通されていることを特徴とする特徴Ａ１乃至Ａ６のいずれか１に記載の遊技機。
【０１６３】
特徴Ａ７によれば、開放用孔部を配線の通し孔として兼用することができる。
【０１６４】
特徴Ｂ１．遊技機ベース（遊技機ベースユニット１３）と、
当該遊技機ベースの前方に設けられているとともに、当該遊技機ベースの前面における少なくとも一部の領域を前方から覆う閉鎖位置と当該領域を遊技機前方に開放させる開放位置とのそれぞれに配置できるように設けられた遊技機前面体（遊技機前面ユニット１４）と、
当該遊技機前面体に設けられたスピーカ装置（スピーカ装置６３，６４）と、
を備え、
前記遊技機前面体が前記閉鎖位置に配置されている状態では、当該遊技機前面体を構成する部位と前記遊技機ベースを構成する部位とにより特定空間（閉空間１５１，１５２）が区画形成される構成であり、
前記スピーカ装置は、前面側から出力された音が前記遊技機前面体の前面から遊技機前方に向けて伝わり、且つ背面側からは前記特定空間に対して音が出力されるように、前記遊技機前面体において前記特定空間を区画形成する領域に対して取り付けられていることを特徴とする遊技機。
【０１６５】
特徴Ｂ１によれば、遊技機前面体が閉鎖位置に配置されている状態では遊技機前面体を構成する部位と遊技機ベースを構成する部位とにより特定空間が区画形成され、スピーカ装置の背面側からは当該特定空間に対して音が出力される。これにより、スピーカ装置の前面側から出力された音と背面側から出力された音との打ち消し合いが起こりにくくなり、高音質化が図られる。
【０１６６】
特に、本構成では、遊技機前面体と遊技機ベースとを用いて特定空間が形成される構成であるため、特定空間を形成するために遊技機前面体及び遊技機ベースとは別の部材を設ける必要はない。したがって、遊技機前面体の背面側や遊技機ベースの前面側の空間を有効活用しながら、上記効果を奏することができる。
【０１６７】
さらには、遊技機前面体を開放状態とすることで、特定空間を遊技機前方に開放させることができるため、特定空間のメンテナンスやスピーカ装置のメンテナンスを良好に行うことができる。
【０１６８】
以上より、スピーカ装置から出力される音の高音質化を良好に図ることができる。
【０１６９】
特徴Ｂ２．前記遊技機ベースは、遊技球が流下する遊技領域が形成された遊技板（遊技盤２３）を有してなるものであるとともに、前記遊技機前面体は、前記遊技領域を遊技機前方から視認可能とする窓パネル部（窓パネルユニット５３）を有してなるものであり、
前記特定空間は、前記遊技領域を区画する区画構造を挟んで、当該遊技領域に対して隣接させて設けられていることを特徴とする特徴Ｂ１に記載の遊技機。
【０１７０】
特徴Ｂ２によれば、遊技領域と特定空間とが区画構造を挟んで隣接しているため、遊技の注目度を図るべく遊技領域の大型化が図られた場合であっても、特定空間を好適に確保することができる。また、遊技領域を区画する区画構造を利用して特定空間を区画形成することができる。
【０１７１】
特徴Ｂ３．前記遊技機ベースは、遊技球が流下する遊技領域が形成された遊技板（遊技盤２３）を有してなるものであるとともに、前記遊技機前面体は、前記遊技領域を遊技機前方から視認可能とする窓パネル部（窓パネルユニット５３）を有してなるものであり、
前記特定空間は、前記遊技領域を含まないように区画形成されていることを特徴とする特徴Ｂ１に記載の遊技機。
【０１７２】
特徴Ｂ３によれば、スピーカ装置の背面側から特定空間に出力された音による振動が遊技領域における空気にまで伝わりにくくなり、遊技領域を流下する遊技球に対するスピーカ装置の背面側から出力された音の影響を低減することができる。
【０１７３】
特徴Ｂ４．前記遊技機前面体が前記閉鎖位置に配置されている場合に、前記遊技機前面体と前記遊技機ベースとの間の空間において、前記遊技板の前記遊技領域を形成する領域と前記窓パネル部との間の空間を周囲の空間から区画する区画構造を備え、
前記特定空間は、前記区画構造により区画される領域の外部に設けられていることを特徴とする特徴Ｂ３に記載の遊技機。
【０１７４】
特徴Ｂ４によれば、区画構造が設けられていることにより、遊技機前面体と遊技機ベースとの境界から不正用治具が挿入されたとしても、当該不正用治具が遊技領域にまで侵入してしまうことが抑制される。この場合に、特定空間は、区画構造により区画される領域の外部に設けられているため、遊技領域への不正用治具の侵入を抑制する構造を利用して、スピーカ装置の背面側から特定空間に出力された音による振動が遊技領域の空気にまで伝わりにくくすることができる。
【０１７５】
特徴Ｂ５．前記遊技機前面体が前記閉鎖位置に配置されている場合、前記遊技領域と前記特定空間とは、前記区画構造を挟んで隣接していることを特徴とする特徴Ｂ４に記載の遊技機。
【０１７６】
特徴Ｂ５によれば、遊技領域と特定空間とが区画構造を挟んで隣接しているため、遊技の注目度を図るべく遊技領域の大型化が図られた場合であっても、特定空間を好適に確保することができる。
【０１７７】
特徴Ｂ６．前記窓パネル部は、前記遊技機前面体の背面側に取り付けられているとともに、前記遊技機ベースは、前記遊技領域を区画する又は前記遊技領域を前記遊技機ベースの前方に向けて露出させる区画孔部（窓孔２２）を備えており、
前記区画構造は、前記遊技機前面体が前記閉鎖位置に配置されている場合に、前記窓パネル部の周縁部と前記区画孔部の周縁部（周縁部１２１）とが重なり合うことで形成されるものであることを特徴とする特徴Ｂ２，特徴Ｂ４乃至Ｂ５のいずれか１に記載の遊技機。
【０１７８】
特徴Ｂ６によれば、区画孔部及び窓パネル部は遊技領域を遊技機前方から視認可能とするために必要な構成であり、当該視認可能とするために必要な構成を利用して区画構造が形成されることで、構成の簡素化を図りつつ、区画構造に起因した上記優れた効果を奏することができる。
【０１７９】
特徴Ｂ７．前記スピーカ装置は、前記遊技機前面体において前記特定空間の遊技機前側の範囲を区画する前壁部（前壁部１１１）に取り付けられているとともに、
前記窓パネル部は少なくともその背面が、前記前壁部よりも遊技機後方に突出するように設けられており、
さらに、前記遊技機ベースは、前記遊技領域を区画する又は前記遊技領域を前記遊技機ベースの前方に向けて露出させる区画孔部（窓孔２２）を備えており、
前記区画構造は、前記遊技機前面体が前記閉鎖位置に配置されている場合に、前記窓パネル部の周縁部及び前記区画孔部の周縁部（周縁部１２１）のうち一方が他方の内側に入り込み両周縁部が内外に重なり合うことで形成されるものであることを特徴とする特徴Ｂ２，特徴Ｂ４乃至Ｂ５のいずれか１に記載の遊技機。
【０１８０】
特徴Ｂ７によれば、窓パネル部の周縁部と区画孔部の周縁部とが内外に重なり合うことで区画構造が形成されているため、区画構造により区画された領域の内側の密閉性が高められ、不正用治具の遊技領域への侵入を抑制する効果及びスピーカ装置の背面側から特定空間に出力された音による振動が遊技領域の空気にまで伝わりにくくする効果の両方をより高めることができる。
【０１８１】
特徴Ｂ８．前記スピーカ装置は、前記遊技機前面体において前記特定空間の遊技機前側の範囲を区画する前壁部（前壁部１１１）に取り付けられており、
前記遊技機ベースは、前記遊技機前面体が前記閉鎖位置に配置されている場合に前記前壁部に対して所定の間隔を隔てて対向配置され前記特定空間の遊技機後側の範囲を区画する後壁部（後壁部１１３）を備えており、
さらに、前記遊技機前面体は、前記前壁部の周縁部に、当該前壁部よりも遊技機後方に突出させて設けられた前側仕切部（仕切壁１３３〜１３５）を備えているとともに、前記遊技機ベースは、前記後壁部の周縁部に、当該後壁部よりも遊技機前方に突出させて設けられた後側仕切部（仕切壁１４３〜１４５）を備えており、
前記遊技機前面体が前記閉鎖位置に配置されている場合に、前記前側仕切部及び前記後側仕切部の少なくとも一方により、前記特定空間の周面の少なくとも一部が形成される構成であり、
前記前側仕切部及び前記後側仕切部は、前記遊技機前面体が前記閉鎖位置に配置されている場合に前記特定空間の周面において当該特定空間の内外に重なり合うように形成されていることを特徴とする特徴Ｂ１乃至Ｂ７のいずれか１に記載の遊技機。
【０１８２】
特徴Ｂ８によれば、遊技機前面体に形成された前側仕切部及び遊技機ベースに形成された後側仕切部の少なくとも一方により、特定空間の周面の少なくとも一部が形成される構成において、これら前側仕切部及び後側仕切部は、遊技機前面体が閉鎖位置に配置されている場合に、特定空間の周面において当該特定空間の内外に重なり合う構成であるため、特定空間の密閉性が高められる。これにより、スピーカ装置の背面側から特定空間に出力された音が、遊技機の設計段階において想定していない領域から遊技機前方に向けて漏れ出てしまうことが抑制される。
【０１８３】
特徴Ｂ９．前記遊技機前面体はその周縁部に遊技機ベースに向けて突出する前側周縁部（前側縁枠部１１２）を備えているとともに、前記遊技機ベースはその周縁部に前記遊技機前面体に向けて突出する後側周縁部（後側縁枠部１１４）を備えており、
前記前側周縁部及び前記後側周縁部は、前記遊技機前面体が前記閉鎖位置に配置されている場合に遊技機の周面において遊技機の内外に重なり合うように形成されており、
さらに、前記スピーカ装置は、前記遊技機前面体において前記特定空間の遊技機前側の範囲を区画する前壁部（前壁部１１１）に取り付けられており、
前記遊技機ベースは、前記遊技機前面体が前記閉鎖位置に配置されている場合に前記前壁部に対して所定の間隔を隔てて対向配置され前記特定空間の遊技機後側の範囲を区画する後壁部（後壁部１１３）を備えており、
前記特定空間における前記前壁部と前記後壁部との間の周面の少なくとも一部は、前記前側周縁部及び前記後側周縁部の重なり領域により形成されていることを特徴とする特徴Ｂ１乃至Ｂ８のいずれか１に記載の遊技機。
【０１８４】
特徴Ｂ９によれば、遊技機前面体の前側周縁部と遊技機ベースの後側周縁部とが、遊技機前面体が閉鎖位置に配置されている場合に遊技機の周面において遊技機の内外に重なり合う構成であるため、遊技機前面体と遊技機ベースとの境界から両者の間の空間に不正用治具を挿入しようとする行為が行いづらくなる。この場合に、特定空間における前壁部と後壁部との間の周面の少なくとも一部が、前側周縁部及び後側周縁部の重なり領域により形成されているため、上記不正用治具の挿入を抑制する構成を利用して、特定空間の密閉性が高められる。
【０１８５】
特徴Ｂ１０．前記遊技機前面体が前記閉鎖位置に配置され前記特定空間が形成されている状態において、当該特定空間をその外部に開放させる開放用孔部（開放用孔部１５５等）を備えていることを特徴とする特徴Ｂ１乃至Ｂ９のいずれか１に記載の遊技機。
【０１８６】
スピーカ装置の背面側から特定空間に音を出力する構成においては、当該特定空間により囲まれる空気の粘性分によってスピーカ装置の振動板の振動が抑制され易くなる。この場合に、特徴Ｂ１０によれば、開放用孔部を通じて特定空間が外部に開放されているため、スピーカ装置の振動板の振動が抑制され難くなる。
【０１８７】
特徴Ｂ１１．前記スピーカ装置は、前記遊技機前面体において前記特定空間の遊技機前側の範囲を区画する前壁部（前壁部１１１）に取り付けられており、
前記開放用孔部は、前記遊技機ベースにおいて、前記遊技機前面体が前記閉鎖位置に配置されている場合に前記前壁部に対して所定の間隔を隔てて対向配置され前記特定空間の遊技機後側の範囲を区画する後壁部（後壁部１１３）に形成されていることを特徴とする特徴Ｂ１０に記載の遊技機。
【０１８８】
仮に、遊技機前面から遊技機ベースに通じる孔部が形成されると、当該孔部を通じて遊技機前方から遊技機ベースに向けて不正用治具を挿入し易くなるが、特徴Ｂ１１によれば、後壁部に開放用孔部が形成されていることにより、上記不都合の発生を抑えながら、開放用孔部を設けることができる。
【０１８９】
特徴Ｂ１２．前記開放用孔部は、当該開放用孔部の孔長方向に延びる中心軸線が前記スピーカ装置の厚み方向に延びる中心軸線と同一直線上とならない位置に形成されていることを特徴とする特徴Ｂ１１に記載の遊技機。
【０１９０】
スピーカ装置が遊技機前面体に設けられた構成の場合、当該スピーカ装置に孔を開ける又はスピーカ装置を取り外すといった行為により、遊技機前方から遊技機前面体の後方へ通じる通路を不正に形成し、当該通路を通じて遊技機前面体の後方へ不正用治具を挿入する行為が想定される。そして、上記特徴Ｂ１１の構成を備え、後壁部に開放用孔部が形成された構成においては、当該開放用孔部を通じて上記不正用治具をさらに遊技機ベースの背面側に侵入させる行為が想定される。これに対して、特徴Ｂ１２によれば、開放用孔部の孔長方向に延びる中心軸線がスピーカ装置の厚み方向に延びる中心軸線と同一直線上とならない位置に開放用孔部が形成されているため、スピーカ装置の位置から直線的に不正用治具を挿入したとしてもそれが開放用孔部に入り込みづらくなる。よって、上記不正用治具が遊技機ベースの背面側にまで侵入してしまうことを抑制することができる。
【０１９１】
特徴Ｂ１３．前記開放用孔部は、前記後壁部において、前記遊技機前面体が前記閉鎖位置に配置されている場合に前記スピーカ装置の遊技機後方の領域から外れた位置に形成されていることを特徴とする特徴Ｂ１１又はＢ１２に記載の遊技機。
【０１９２】
特徴Ｂ１３によれば、開放用孔部は、後壁部において、遊技機前面体が閉鎖位置に配置されている場合にスピーカ装置の遊技機後方の領域から外れた位置に形成されているため、スピーカ装置の位置から不正用治具を挿入したとしても、当該不正用治具の曲げ操作などを行って当該不正用治具の先端側をさらに開放用孔部の位置まで持っていく必要があり、当該不正用治具が開放用孔部に入り込みづらくなる。よって、上記不正用治具が遊技機ベースの背面側にまで侵入してしまうことを抑制することができる。
【０１９３】
特徴Ｂ１４．前記スピーカ装置は、前記前壁部に形成された前後方向に貫通する貫通孔（開口部１０５，１０６）に対して取り付けられており、
当該貫通孔に対して前記スピーカ装置が取り付けられていることにより、当該スピーカ装置の前面側は前記前壁部の前面側に露出するとともに、当該スピーカ装置の背面側が前記特定空間側に露出し、
前記開放用孔部は、前記後壁部において、前記遊技機前面体が前記閉鎖位置に配置されている場合に前記貫通孔の遊技機後方の領域から外れた位置に形成されていることを特徴とする特徴Ｂ１１又はＢ１２に記載の遊技機。
【０１９４】
スピーカ装置が貫通孔を通じて遊技機前面体に設けられた構成の場合、スピーカ装置を取り外し、貫通孔を通じて遊技機前面体の後方へ不正用治具を挿入する行為が想定される。そして、上記特徴Ｂ１１の構成を備え、後壁部に開放用孔部が形成された構成においては、当該開放用孔部を通じて上記不正用治具をさらに遊技機ベースの背面側に侵入させる行為が想定される。これに対して、特徴Ｂ１４によれば、開放用孔部は、後壁部において、遊技機前面体が閉鎖位置に配置されている場合に貫通孔の遊技機後方の領域から外れた位置に形成されているため、スピーカ装置の位置から不正用治具を挿入したとしても、当該不正用治具の曲げ操作などを行って当該不正用治具の先端側をさらに開放用孔部の位置まで持っていく必要があり、当該不正用治具が開放用孔部に入り込みづらくなる。よって、上記不正用治具が遊技機ベースの背面側にまで侵入してしまうことを抑制することができる。
【０１９５】
特徴Ｂ１５．前記開放用孔部は、孔長方向に対して直交する方向の断面の面積が前記スピーカ装置の前面側の面積よりも小さくなるように形成されていることを特徴とする特徴Ｂ１１乃至Ｂ１４のいずれか１に記載の遊技機。
【０１９６】
特徴Ｂ１５によれば、開放用孔部は、孔長方向に対して直交する方向の断面の面積がスピーカ装置の前面側の面積よりも小さくなるように形成されているため、スピーカ装置の位置から不正用治具が挿入されたとしても、当該不正用治具が開放用孔部に入り込みづらくなる。よって、上記不正用治具が遊技機ベースの背面側にまで侵入してしまうことを抑制することができる。
【０１９７】
特徴Ｂ１６．前記スピーカ装置は、前記前壁部に形成された前後方向に貫通する貫通孔（開口部１０５，１０６）に対して取り付けられており、
当該貫通孔に対して前記スピーカ装置が取り付けられていることにより、当該スピーカ装置の前面側は前記前壁部の前面側に露出するとともに、当該スピーカ装置の背面側が前記特定空間側に露出し、
さらに、前記開放用孔部は、その孔長方向に対して直交する方向の断面の面積が、前記貫通孔の孔長方向に対して直交する方向の断面の面積よりも小さくなるように形成されていることを特徴とする特徴Ｂ１１乃至Ｂ１４のいずれか１に記載の遊技機。
【０１９８】
特徴Ｂ１６によれば、開放用孔部は、その孔長方向に対して直交する方向の断面の面積が、上記貫通孔の孔長方向に対して直交する方向の断面の面積よりも小さくなるように形成されているため、貫通孔から不正用治具が挿入されたとしても、当該不正用治具が開放用孔部に入り込みづらくなる。よって、上記不正用治具が遊技機ベースの背面側にまで侵入してしまうことを抑制することができる。
【０１９９】
特徴Ｂ１７．前記遊技機前面体が前記閉鎖位置に配置されている場合に前記前壁部と前記後壁部との間に位置することで前記特定空間の周面を区画する領域に対して、前記特定空間の内側に離間されることとなる位置に前記開放用孔部が形成されていることを特徴とする特徴Ｂ１１乃至Ｂ１６のいずれか１に記載の遊技機。
【０２００】
スピーカ装置の位置から不正用治具が挿入された場合、当該不正用治具の先端側を特定空間の周面に沿わせることで当該先端側を開放用孔部の位置まで持っていく行為が想定される。これに対して、特徴Ｂ１７によれば、開放用孔部は、特定空間の周面を区画する領域に対して、特定空間の内側に離間されることとなる位置に形成されているため、不正用治具の先端側を特定空間の周面に沿わせたとしても、当該先端側が開放用孔部に入り込みづらくなる。
【０２０１】
特徴Ｂ１８．前記スピーカ装置は、前記遊技機ベースの背面側又は当該遊技機ベースの後方に設けられた装置（音声ランプ制御装置８２）と配線（信号線１５６）を介して電気的に接続されており、当該配線を通じて当該装置から供給される電力又は信号に基づいて動作するものであり、
前記配線は、前記開放用孔部を通じて、前記遊技機ベースの前後に通されていることを特徴とする特徴Ｂ１１乃至Ｂ１７のいずれか１に記載の遊技機。
【０２０２】
特徴Ｂ１８によれば、開放用孔部を配線の通し孔として兼用することができる。
【０２０３】
特徴Ｂ１９．前記遊技機ベースは、遊技球が流下する遊技領域が前面に形成された遊技板（遊技盤２３）を有してなるものであるとともに、前記遊技機前面体は、前記遊技領域を遊技機前方から視認可能とする窓パネル部（窓パネルユニット５３）を有してなるものであり、
前記開放用孔部は、遊技球を所定の位置に導く媒体通路（回収通路２０４）を用いて形成されていることを特徴とする特徴Ｂ１０に記載の遊技機。
【０２０４】
特徴Ｂ１９によれば、媒体通路を用いて開放用孔部が形成されているため、遊技機において必要な構成を利用しながら、開放用孔部を設けたことによる効果を奏することができる。
【０２０５】
特徴Ｂ２０．前記媒体通路は、複数の開口部を備えており、
それら複数の開口部のうち第１開口部（上方開放部７８）を通じて前記媒体通路が前記特定空間に連通されるとともに、第２開口部（球入口７４ａ）は遊技機前面に配置されていることを特徴とする特徴Ｂ１９に記載の遊技機。
【０２０６】
特徴Ｂ２０によれば、開放用孔部をバスレフポートとして利用することが可能となり、さらなる高音質化を図ることが可能となる。また、媒体通路という遊技機において必要な構成を利用しながら、かかる効果を奏することができる。
【０２０７】
特徴Ｂ２１．予め定められた発射操作に基づいて前記遊技領域に向けて遊技球を発射する発射手段（遊技球発射機構４３）と、
当該発射手段から発射された遊技球を前記遊技領域に向けて誘導する誘導部（内レール部４１、外レール部４２）と、
前記発射手段よりも遊技球の発射方向側に設けられ、前記誘導部を逆流してくる遊技球を回収する回収部（戻り球回収部７７）と、
前記遊技領域における遊技結果に基づいて遊技球を払い出す払出手段（払出装置９６）と、
遊技機前面に設けられ、当該払出手段から払い出された遊技球を貯留する球受け皿（下皿７４）と、
を備え、
前記回収部は、前記誘導部を逆流してくる遊技球の回収口（上方開放部７８）が、前記遊技機前面体が前記閉鎖位置に配置されている状態において前記特定空間に臨むように形成されており、
前記媒体通路は、前記回収部にて回収した遊技球を前記球受け皿に排出する通路であることを特徴とする特徴Ｂ２０に記載の遊技機。
【０２０８】
特徴Ｂ２１によれば、回収部は誘導部を逆流してくる遊技球を回収するものであるため、その機能を発揮させる上では、その回収口が確実に遊技機前面体と遊技機ベースとの間の空間に臨むこととなる。この場合に、当該回収部にて回収した遊技球を球受け皿に排出する通路を用いて開放用孔部が形成されていることにより、遊技機において必要な構成を好適に利用しながら、上記効果を奏することができる。
【０２０９】
特徴Ｂ２２．前記スピーカ装置は、前記遊技機前面体において前記特定空間の遊技機前側の範囲を区画する前壁部（前壁部１１１）に取り付けられており、
前記開放用孔部は、前記前壁部において前記スピーカ装置と重ならない位置に形成されていることを特徴とする特徴Ｂ１０に記載の遊技機。
【０２１０】
特徴Ｂ２２によれば、開放用孔部をバスレフポートとして利用することが可能となり、さらなる高音質化を図ることが可能となる。
【０２１１】
特徴Ｂ２３．前記遊技機前面体において前記特定空間を形成する領域又は前記遊技機ベースにおいて前記特定空間を形成する領域の少なくとも一方は、前記特定空間を区画する壁面の一部を他の壁面に比べ硬度を低くする硬度低下領域（吸音材１５７）を備えていることを特徴とする特徴Ｂ１乃至Ｂ２２のいずれか１に記載の遊技機。
【０２１２】
特徴Ｂ２３によれば、硬度低下領域が設けられていることにより、スピーカ装置の背面側から特定空間に出力された音の出力レベルを好適に抑えることができる。
【０２１３】
特徴Ｂ２４．前記スピーカ装置は、前記遊技機前面体において前記特定空間の遊技機前側の範囲を区画する前壁部（前壁部１１１）に取り付けられており、
前記遊技機ベースは、前記遊技機前面体が前記閉鎖位置に配置されている場合に前記前壁部に対して所定の間隔を隔てて対向配置され前記特定空間の遊技機後側の範囲を区画する後壁部（後壁部１１３）を備えており、
前記硬度低下領域は、前記後壁部の前面に設けられていることを特徴とする特徴Ｂ２３に記載の遊技機。
【０２１４】
特徴Ｂ２４によれば、硬度低下領域がスピーカ装置の後方に配置されるため、スピーカ装置の背面側から出力された音圧を好適に硬度低下領域にて受けることが可能となる。
【０２１５】
特徴Ｂ２５．前記前壁部は、前記硬度低下領域よりも硬度が高くなるように構成されていることを特徴とする特徴Ｂ２４に記載の遊技機。
【０２１６】
遊技ホールへの遊技機の設置状態において遊技機前面体は遊技者側に露出することとなるため、遊技者により遊技機前面体に対して負荷が加えられることが想定される。この場合に、特徴Ｂ２５によれば、前壁部を硬度低下領域よりも硬度が高くなるように構成されていることで、上記負荷が加えられた場合に前壁部が破損してしまう可能性が低減される。
【０２１７】
特徴Ｂ２６．前記前壁部の背面には、当該前壁部の面方向の強度を高める補強部（補強金属板１５８）が設けられていることを特徴とする特徴Ｂ２５に記載の遊技機。
【０２１８】
特徴Ｂ２６によれば、前壁部の背面に補強部が設けられていることにより、遊技機前面体に対して負荷が加えられた場合に前壁部が破損してしまう可能性が低減される。また、前壁部の背面に補強部を設けるとともに、後壁部の前面に硬度低下領域を設けることにより、前壁部の破損の防止と、スピーカ装置の背面側から出力された音の出力レベルの低下との両立を、好適に図ることができる。
【０２１９】
以下に、以上の各特徴を適用し得る各種遊技機の基本構成を示す。
【０２２０】
パチンコ遊技機：遊技者が操作する操作手段と、その操作手段の操作に基づいて遊技球を発射する遊技球発射機構と、その発射された遊技球を遊技装置に設けられた遊技領域に導く球通路と、遊技領域内に配置された各遊技部品とを備え、それら各遊技部品のうち所定の入球部に遊技球が入球したことに基づいて払出装置から遊技球が払い出される遊技機。
【０２２１】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【図面の簡単な説明】
【０２２２】
【図１】第１の実施の形態におけるパチンコ機を示す正面図である。
【図２】パチンコ機の主要な構成を展開して示す斜視図である。
【図３】パチンコ機の主要な構成を展開して示す斜視図である。
【図４】遊技盤の構成を示す正面図である。
【図５】図１のＡ―Ａ線部分の断面図である。
【図６】図１のＢ−Ｂ線部分の断面図である。
【図７】図１のＣ−Ｃ線部分の断面図である。
【図８】パチンコ機の電気的構成を示すブロック図である。
【図９】第２の実施の形態における第１閉空間及びその周辺部分の構成を示すパチンコ機の縦断面図である。
【図１０】第３の実施の形態における第１閉空間の範囲を説明するためのパチンコ機の正面図である。
【図１１】第１閉空間及びその周辺部分の構成を示すパチンコ機の縦断面図である。
【図１２】第４の実施の形態における第１閉空間及びその周辺部分の構成を示すパチンコ機の縦断面図である。
【符号の説明】
【０２２３】
１０…パチンコ機、１３…遊技機ベースユニット、１４…遊技機前面ユニット、２２…窓孔、２３…遊技盤、４１…内レール部、４２…外レール部、４３…遊技球発射機構、５３…窓パネルユニット、６３，６４…スピーカ装置、７４…下皿、７４ａ…球入口、７７…戻り球回収部、７８…上方開放部、８２…音声ランプ制御装置、９６…払出装置、１０５，１０６…開口部、１１１…前壁部、１１２…前側縁枠部、１１３…後壁部、１１４…後側縁枠部、１２１…周縁部、１３３〜１３５…仕切壁、１４３〜１４５…仕切壁、１５１，１５２…閉空間、１５５…開放用孔部、１５６…信号線、１５７…吸音材、１５８…補強金属板、１９６…開放用孔部、２０４…回収通路、２１１…開放用孔部。
【図１】
2010035810.tif 000004
【図２】
2010035810.tif 000005
【図３】
2010035810.tif 000006
【図４】
2010035810.tif 000007
【図５】
2010035810.tif 000008
【図６】
2010035810.tif 000009
【図７】
2010035810.tif 000010
【図８】
2010035810.tif 000011
【図９】
2010035810.tif 000012
【図１０】
2010035810.tif 000013
【図１１】
2010035810.tif 000014
【図１２】
2010035810.tif 000015